(57)【特許請求の範囲】
【請求項１】
アクセスネットワーク機器がシグナリングによりユーザ端末に対して拡張物理上り制御チャネル（ｅＰＵＣＣＨ）を指示するためのチャネル制御方法であって、
１グループのユーザ端末が共用する共通物理下り制御チャネルに基づいて、１グループのユーザ端末に対して、拡張物理上り制御チャネル領域の時間領域リソース位置及び周波数領域リソース位置を指示するステップと、
指示された前記拡張物理上り制御チャネル領域内に拡張物理上り制御チャネルを１グループのユーザ端末のうちの各ユーザ端末が伝送するよう指示するステップとを含み、
前記１グループのユーザ端末のうちの異なるユーザ端末が、指示された異なる前記拡張物理上り制御チャネル領域内に拡張物理上り制御チャネルを伝送し、
指示された前記拡張物理上り制御チャネル領域内に拡張物理上り制御チャネルを１グループのユーザ端末のうちの各ユーザ端末が伝送するよう指示するステップは、下り制御情報（ＤＣＩ）の占用する制御チャネル要素（ＣＣＥ）の位置に基づいて、指示された前記拡張物理上り制御チャネル領域における対応する拡張物理上り制御チャネル番号を特定すること、または、複数の下りサブフレームを指示し、前記複数の下りサブフレームにおいて下り伝送をスケジューリングされたユーザ端末が前記下り制御情報（ＤＣＩ）の占用する制御チャネル要素（ＣＣＥ）位置に応じて、指示された前記拡張物理上り制御チャネルにおける対応する拡張物理上り制御チャネル番号を選択することを含み、
下り制御情報（ＤＣＩ）の占用する制御チャネル要素（ＣＣＥ）の位置に基づいて、指示された前記拡張物理上り制御チャネル領域における対応する拡張物理上り制御チャネル番号を特定することは、前記ユーザ端末が指示された前記拡張物理上り制御チャネルにおいて複数のサブフレームに対応する上り制御情報ＵＣＩをフィードバックする際、前記複数のサブフレームに対応する伝送下りリンクスケジューリンググラント（ＤＬ ｇｒａｎｔ）の占用する制御チャネル要素（ＣＣＥ）の位置に基づいて等価ＣＣＥ位置を算出し、前記等価ＣＣＥ位置に基づいて前記拡張物理上り制御チャネル番号を指示することを含み、ただし、前記等価ＣＣＥ位置は、前記複数のサブフレームのうちの最後の１つのサブフレームに対応する制御チャネル要素（ＣＣＥ）位置であり、
複数の下りサブフレームを指示し、前記複数の下りサブフレームにおいて下り伝送をスケジューリングされたユーザ端末が前記下り制御情報（ＤＣＩ）の占用する制御チャネル要素（ＣＣＥ）位置に応じて、指示された前記拡張物理上り制御チャネルにおける対応する拡張物理上り制御チャネル番号を選択することは、ユーザ端末が前記複数の下りサブフレームへフィードバックするとき、前記複数の下りサブフレームの下りリンクスケジューリンググラント（ＤＬ ｇｒａｎｔ）の制御チャネル要素（ＣＣＥ）位置に基づいて、等価ＣＣＥ位置を特定し、前記等価ＣＣＥ位置に基づいて前記拡張物理上り制御チャネル番号を特定することを含み、ただし、前記等価ＣＣＥ位置は、１番目の制御チャネル要素（ＣＣＥ）位置であることを特徴とするチャネル制御方法。
【請求項２】
１グループのユーザ端末が共用する共通物理下り制御チャネルに基づいて、１グループのユーザ端末に対して、拡張物理上り制御チャネル領域の時間領域リソース位置を指示するステップは、
共通物理下り制御チャネルが送信されたサブフレームの後のＮ番目のサブフレームを前記拡張物理上り制御チャネル領域の所在するサブフレームとし、ただし、前記共通物理下り制御チャネルの共通物理下り制御チャネル領域の所在するサブフレームが前記時間領域リソース位置であること、または、
前記共通物理下り制御チャネルが送信されたサブフレームの後のＮ番目の上りサブフレームを前記拡張物理上り制御チャネル領域の所在するサブフレームとし、ただし、前記共通物理下り制御チャネルの共通物理下り制御チャネル領域の所在するサブフレームが前記時間領域リソース位置であること、または、
前記共通物理下り制御チャネルで搬送された下り制御情報（ＤＣＩ）を取得し、前記ＤＣＩに基づいて前記拡張物理上り制御チャネル領域の時間領域リソース位置を指示することを含み、
前記共通物理下り制御チャネルが送信されたサブフレームと、前記共通物理下り制御チャネルの共通物理下り制御チャネル領域の所在するサブフレームとは、互いに異なることを特徴とする請求項１に記載のチャネル制御方法。
【請求項３】
前記Ｎは、無線リソース制御（ＲＲＣ）によって配置されるか、下り制御情報（ＤＣＩ）によって配置されるか、それとも規格で予め設定されることを特徴とする請求項２に記載のチャネル制御方法。
【請求項４】
前記ＤＣＩに基づいて前記拡張物理上り制御チャネルの時間領域リソース位置を指示するステップは、
前記ユーザ端末が下りサブフレームＮにおいて前記拡張物理上り制御チャネルを指示するための前記共通物理下り制御チャネルを検出したとき、前記ＤＣＩで指示された前記共通物理下り制御チャネルの所在する現サブフレーム後のＮ個のサブフレームを前記拡張物理上り制御チャネル領域の所在するサブフレームとすることを含むことを特徴とする請求項２に記載のチャネル制御方法。
【請求項５】
前記ＤＣＩに基づいて前記拡張物理上り制御チャネルの時間領域リソース位置を指示するステップは、３ビットによって範囲が１から８である前記下りサブフレームＮを表すことを含むことを特徴とする請求項４に記載のチャネル制御方法。
【請求項６】
１グループのユーザ端末が共用する共通物理下り制御チャネルに基づいて、１グループのユーザ端末に対して、拡張物理上り制御チャネル領域の周波数領域リソース位置を指示するステップは、
無線リソース制御（ＲＲＣ）シグナリングに基づいて前記拡張物理上り制御チャネルへ前記周波数領域リソース位置を割り当てること、または、
共通物理下り制御チャネルで搬送された下り制御情報（ＤＣＩ）に基づいて前記拡張物理上り制御チャネル領域の周波数領域リソース位置を指示すること、または、
前記共通物理下り制御チャネルの占用する制御チャネル要素（ＣＣＥ）の位置に基づいて前記拡張物理上り制御チャネル領域の周波数領域リソース位置を特定することを含むことを特徴とする請求項１に記載のチャネル制御方法。
【請求項７】
無線リソース制御（ＲＲＣ）シグナリングに基づいて前記拡張物理上り制御チャネルへ前記周波数領域リソース位置を割り当てるステップは、
１０ビットのビットマップ（ｂｉｔｍａｐ）によって前記拡張物理上り制御チャネルに対応するｉｎｔｅｒｌａｃｅを指示すること、または、
４ビットによって、前記拡張物理上り制御チャネルが１０個のインターリーブユニット（ｉｎｔｅｒｌａｃｅ）のうちの何れか１つのインターリーブユニット（ｉｎｔｅｒｌａｃｅ）を占用するよう指示することを含むことを特徴とする請求項６に記載のチャネル制御方法。
【請求項８】
共通物理下り制御チャネルで搬送された下り制御情報（ＤＣＩ）に基づいて前記拡張物理上り制御チャネルの周波数領域リソース位置を指示するステップは、
１０ビットのビットマップ（ｂｉｔｍａｐ）によって前記拡張物理上り制御チャネルに対応するインターリーブユニット（ｉｎｔｅｒｌａｃｅ）を指示すること、または、
４ビットによって、前記拡張物理上り制御チャネルが１０個のｉｎｔｅｒｌａｃｅのうちの何れか１つのインターリーブユニット（ｉｎｔｅｒｌａｃｅ）を占用するよう指示することを含むことを特徴とする請求項６に記載のチャネル制御方法。
【請求項９】
前記共通物理下り制御チャネルで送信された制御チャネル要素（ＣＣＥ）の位置に基づいて前記拡張物理上り制御チャネルの周波数領域リソース位置を特定するステップは、
規定のマッピングテーブルによって、前記共通物理下り制御チャネルの送信に占用されるＩ番目の制御チャネル要素（ＣＣＥ）の位置番号Ｊと前記拡張物理上り制御チャネルに対応するインターリーブユニット（ｉｎｔｅｒｌａｃｅ）番号Ｋとのマッピング関係を表すことを含むことを特徴とする請求項６に記載のチャネル制御方法。
【請求項１０】
ユーザ端末に対して拡張物理上り制御チャネル（ｅＰＵＣＣＨ）を指示するためのチャネル制御装置であって、
１グループのユーザ端末が共用する共通物理下り制御チャネルに基づいて、１グループのユーザ端末に対して、拡張物理上り制御チャネル領域の時間領域リソース位置及び周波数領域リソース位置をシグナリングにより指示するための第１指示手段と、
指示された前記拡張物理上り制御チャネル領域内に拡張物理上り制御チャネルを１グループのユーザ端末のうちの各ユーザ端末が伝送するようシグナリングにより指示するための第２指示手段とを備え、
前記１グループのユーザ端末のうちの異なるユーザ端末が、指示された異なる前記拡張物理上り制御チャネル領域内に拡張物理上り制御チャネルを伝送し、
指示された前記拡張物理上り制御チャネル領域内に拡張物理上り制御チャネルを１グループのユーザ端末のうちの各ユーザ端末が伝送するよう指示するステップは、
下り制御情報（ＤＣＩ）の占用する制御チャネル要素（ＣＣＥ）の位置に基づいて、指示された前記拡張物理上り制御チャネル領域における対応する拡張物理上り制御チャネル番号を特定すること、または、複数の下りサブフレームを指示し、前記複数の下りサブフレームにおいて下り伝送をスケジューリングされたユーザ端末が前記下り制御情報（ＤＣＩ）の占用する制御チャネル要素（ＣＣＥ）位置に応じて、指示された前記拡張物理上り制御チャネルにおける対応する拡張物理上り制御チャネル番号を選択することを含み、
下り制御情報（ＤＣＩ）の占用する制御チャネル要素（ＣＣＥ）の位置に基づいて、指示された前記拡張物理上り制御チャネル領域における対応する拡張物理上り制御チャネル番号を特定することは、前記ユーザ端末が指示された前記拡張物理上り制御チャネルにおいて複数のサブフレームに対応する上り制御情報ＵＣＩをフィードバックする際、前記複数のサブフレームに対応する伝送下りリンクスケジューリンググラント（ＤＬ ｇｒａｎｔ）の占用する制御チャネル要素（ＣＣＥ）の位置に基づいて等価ＣＣＥ位置を算出し、前記等価ＣＣＥ位置に基づいて前記拡張物理上り制御チャネル番号を指示することを含み、ただし、前記等価ＣＣＥ位置は、前記複数のサブフレームのうちの最後の１つのサブフレームに対応する制御チャネル要素（ＣＣＥ）位置であり、
複数の下りサブフレームを指示し、前記複数の下りサブフレームにおいて下り伝送をスケジューリングされたユーザ端末が前記下り制御情報（ＤＣＩ）の占用する制御チャネル要素（ＣＣＥ）位置に応じて、指示された前記拡張物理上り制御チャネルにおける対応する拡張物理上り制御チャネル番号を選択することは、ユーザ端末が前記複数の下りサブフレームへフィードバックするとき、前記複数の下りサブフレームの下りリンクスケジューリンググラント（ＤＬ ｇｒａｎｔ）の制御チャネル要素（ＣＣＥ）位置に基づいて、等価ＣＣＥ位置を特定し、前記等価ＣＣＥ位置に基づいて前記拡張物理上り制御チャネル番号を特定することを含み、ただし、前記等価ＣＣＥ位置は、１番目の制御チャネル要素（ＣＣＥ）位置であることを特徴とするチャネル制御装置。
【請求項１１】
請求項１から９の何れか一項に記載の方法をコンピュータに実行させるためのコンピュータ命令を記憶することを特徴とする非一時的コンピュータ読み取り可能な記憶媒体。
【請求項１２】
コンピュータプログラム製品であって、
前記コンピュータプログラム製品は、非一時的コンピュータ読み取り可能な記憶媒体に記憶されるコンピュータプログラムを含み、前記コンピュータプログラムは、プログラム命令を含み、前記プログラム命令がコンピュータに実行されたとき、前記コンピュータは、請求項１から９の何れか一項に記載の方法を実行することを特徴とするコンピュータプログラム製品。
【請求項１３】
電子機器であって、
少なくとも１つのプロセッサと、
前記少なくとも１つのプロセッサに通信可能に接続されるメモリと、を備え、
前記メモリには、前記少なくとも１つのプロセッサの実行可能な命令が記憶され、
前記命令は、請求項１から９の何れか一項に記載の方法を実行するように設定されることを特徴とする電子機器。
【発明の詳細な説明】
【関連文献の相互参照】
【０００１】
本願は、２０１６年０２月０５日に中国知的産権局へ提出された、出願番号が２０１６１００８２９８３.７、発明の名称が「チャネル選択方法及び装置」である中国特許出願に基づいて優先権を主張する。当該中国特許出願の全てのコンテンツは、本願に参考として引用される。
【技術分野】
【０００２】
本発明は、通信分野に関し、具体的に、チャネル選択方法及び装置に関する。
【背景技術】
【０００３】
従来の移動通信システムは、通信事業者が無線アクセスネットワーク機器(例えば、基地局)及びコアネットワーク機器(例えば、ホームロケーションレジスタ、Ｈｏｍｅ Ｌｏｃａｔｉｏｎ Ｒｅｇｉｓｔｅｒ、ＨＬＲと略称する)等の機器を配置してユーザ端末(例えば、携帯電話)へ通信サービスを提供するシステムである。移動通信は、第１世代、第２世代、第３世代、第４世代の進化を経てきている。第１世代移動通信とは、最初のアナログ、音声通話に限られるセルラー標準を指し、主にアナログ技術及び周波数分割多元接続(Ｆｒｅｑｕｅｎｃｙ Ｄｉｖｉｓｉｏｎ Ｍｕｌｔｉｐｌｅ Ａｃｃｅｓｓ、ＦＤＭＡと略称する)のアクセス方法を採用する。第２世代移動通信は、デジタル技術を導入することにより、ネットワーク容量が向上し、音声品質及び秘密性も改善される。第２世代移動通信は、「グローバル移動通信システム」(Ｇｌｏｂａｌ Ｓｙｓｔｅｍ ｆｏｒ Ｍｏｂｉｌｅ Ｃｏｍｍｕｎｉｃａｔｉｏｎ、ＧＳＭと略称する)及び「符号分割多元接続」(Ｃｏｄｅ Ｄｉｖｉｓｉｏｎ Ｍｕｌｔｉｐｌｅ Ａｃｃｅｓｓ、ＣＤＭＡ ＩＳ‐９５と略称する)を代表とする。第３世代移動通信は、主にＣＤＭＡ２０００、ＷＣＤＭＡ、ＴＤ‐ＳＣＤＭＡの３種の技術を指す。そして、上記３種の技術は、何れも符号分割多元接続をアクセス技術とする。第４世代移動通信システムの標準は、国際上に相対的に統一されており、国際標準化グループ織３ＧＰＰで定められた長期的な進化(Ｌｏｎｇ Ｔｅｒｍ Ｅｖｏｌｕｔｉｏｎ／Ｌｏｎｇ Ｔｅｒｍ Ｅｖｏｌｕｔｉｏｎ‐Ａｄｖａｎｃｅｄ、ＬＴＥ／ＬＴＥ‐Ａと略称する)であり、その下りリンクが直交周波数分割多重(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、ＯＦＤＭＡと略称する)に基づく一方で、上りリンクがシングルキャリア周波数分割多重(Ｓｉｎｇｌｅ Ｃａｒｒｉｅｒ-Ｆｒｅｑｕｅｎｃｙ Ｄｉｖｉｓｉｏｎ Ｍｕｌｔｉｐｌｅ Ａｃｃｅｓｓ、ＳＣ‐ＦＤＭＡと略称する)のアクセス方式に基づく。第４世代移動通信システムは、柔軟な帯域幅及び適応的な変調符号化方式により、下りピークレート１Ｇｂｐｓおよび上りピークレート５００Ｍｂｐｓの高速伝送を達成することができる。図１では、移動通信ネットワークの基本的なアーキテクチャが模式的に示されている。図１に示すように、ユーザ端末がアクセスネットワーク(例えば、基地局)に接続される際に、アクセスネットワークがコアネットワーク(例えば、ＨＬＲ)との間のバックホールリンクを介してコアネットワークへデータを伝送し、または、コアネットワークが当該バックホールリンクを介してユーザ端末(例えば、携帯電話)へデータを伝送する。
【０００４】
ＭｕＬＴＥｆｉｒｅは、ＬＴＥ Ｒ１３ ＬＡＡ下り伝送方法を基に新たに定義された上り伝送方法である。当該方法は、アンライセンスバンドで独立に動作可能なＬＴＥ技術、即ち、ｓｔａｎｄ‐ａｌｏｎｅ ＬＴＥ‐Ｕである。ただし、ＭｕＬＴＥｆｉｒｅは、上り多重方式として従来のＬＴＥの上りＳＣ‐ＦＤＭＡとは異なるＢ‐ＩＦＤＭＡ方式を採用してアンライセンスバンドの帯域幅占用の地方的な規格要求を満たし、且つ上り物理チャネルＰＵＣＣＨに拡張物理上り制御チャネルｅＰＵＣＣＨを導入して従来のＬＴＥにおいてＰＵＣＣＨを介して伝送された上り制御情報ＵＣＩ(ＡＣＫ／ＮＡＣＫ、ＣＳＩ、ＳＲ等を含む)を伝送する。Ｂ‐ＩＦＤＭＡのリソース割当特性によると、その最小リソース割当粒度が大きい。例えば、図２に示すように、図２では、２０ＭＨｚ帯域幅において、１０個のインターリーブユニット（ｉｎｔｅｒｌａｃｅ）が存在し、各ｉｎｔｅｒｌａｃｅの大きさが周波数領域における等間隔の１０個のＰＲＢである。第０番は、黒色の１０個のＰＲＢである。従って、従来のＬＴＥにおいて、上りサブフレームごとに上り制御チャネル領域ＰＵＣＣＨ ｒｅｇｉｏｎが割り当てられる方式は、ＭｕＬＴＥｆｉｒｅでＢ‐ＩＦＤＭＡが採用される上り多重化方式よりも、その拡張物理上り制御チャネル領域ｅＰＵＣＣＨ ｒｅｇｉｏｎのシステムの帯域幅を占用する割合が少なくとも１０％と高い。しかし、ユーザ端末ＵＥが伝送する必要のあるＵＣＩは、そんなに大量ではない。
【０００５】
上記ｅＰＵＣＣＨが各上りサブフレームに固定的に存在することによって制御オーバーヘッドが莫大過ぎるという問題を解決するために、動的に指示する方法により、ＵＥのｅＰＵＣＣＨが指定の上りサブフレームにおいて伝送されるようトリガする必要がある。従来のトリガ方法は、ＤＬ／ＵＬｇｒａｎｔにて各ＵＥのｅＰＵＣＣＨ位置を単独で指示することを含み、ＰＵＳＣＨのリソース指示に類似する。そのメリットが柔軟な指示方式である一方、その問題は、主に、大量のユーザがｅＰＵＣＣＨに伝送する必要があるときに、ＵＬ ｇｒａｎｔによる下りシグナリングオーバーヘッドの膨大を引き起こすことにある。
【０００６】
上記課題については、有効な解決手段が今まで未だ提案されていない。
【発明の概要】
【発明が解決しようとする課題】
【０００７】
本発明の実施例は、大量のユーザが拡張物理上り制御チャネルにデータを伝送するときに上りリンクスケジューリンググラントによる下りシグナリングオーバーヘッドの膨大という従来技術における技術問題を少なくとも解決するチャネル選択方法及び装置を提供する。
【課題を解決するための手段】
【０００８】
本発明の実施例の１つの態様は、チャネル選択方法を提供する。当該方法は、共通物理下り制御チャネルに基づいて拡張物理上り制御チャネル領域の時間領域リソース位置及び周波数領域リソース位置を指示するステップと、指示された前記拡張物理上り制御チャネル領域内に拡張物理上り制御チャネルを１グループのユーザ端末が伝送するよう指示するステップとを含み、異なるユーザ端末が、指示された異なる前記拡張物理上り制御チャネル領域内に拡張物理上り制御チャネルを伝送する。
【０００９】
さらに、共通物理下り制御チャネルに基づいて拡張物理上り制御チャネル領域の時間領域リソース位置を指示するステップは、共通物理下り制御チャネルが送信されたサブフレームの後のＮ番目のサブフレームを前記拡張物理上り制御チャネル領域の所在するサブフレームとし、ただし、前記共通物理下り制御チャネル領域の所在するサブフレームが前記時間領域リソース位置であること、または、前記共通物理下り制御チャネルが送信されたサブフレームの後のＮ番目の上りサブフレームを前記拡張物理上り制御チャネル領域の所在するサブフレームとし、ただし、前記共通物理下り制御チャネル領域の所在するサブフレームが前記時間領域リソース位置であること、または、前記共通物理下り制御チャネルで搬送された下り制御情報（ＤＣＩ）を取得し、前記ＤＣＩに基づいて前記拡張物理上り制御チャネル領域の時間領域リソース位置を指示することを含む。
【００１０】
さらに、前記Ｎは、無線リソース制御（ＲＲＣ）によって配置されるか、下り制御情報（ＤＣＩ）によって配置されるか、それとも規格で予め設定される。
【００１１】
さらに、前記ＤＣＩに基づいて前記拡張物理上り制御チャネルの時間領域リソース位置を指示するステップは、前記ユーザ端末が下りサブフレームＮにおいて前記拡張物理上り制御チャネルを指示するための前記共通物理下り制御チャネルを検出したとき、前記ＤＣＩで指示された前記共通物理下り制御チャネルの所在する現サブフレーム後のＮ個のサブフレームを前記拡張物理上り制御チャネル領域の所在するサブフレームとすることを含む。
【００１２】
さらに、前記ＤＣＩに基づいて前記拡張物理上り制御チャネルの時間領域リソース位置を指示するステップは、３ビットによって範囲が１から８である前記下りサブフレームＮを表すことを含む。
【００１３】
さらに、共通物理下り制御チャネルに基づいて拡張物理上り制御チャネル領域の周波数領域リソース位置を指示するステップは、無線リソース制御（ＲＲＣ）シグナリングに基づいて前記拡張物理上り制御チャネルへ前記周波数領域リソース位置を割り当てること、または、共通物理下り制御チャネルで搬送された下り制御情報（ＤＣＩ）に基づいて前記拡張物理上り制御チャネル領域の周波数領域リソース位置を指示すること、または、前記共通物理下り制御チャネルの占用する制御チャネル要素（ＣＣＥ）の位置に基づいて前記拡張物理上り制御チャネル領域の周波数領域リソース位置を特定することを含む。
【００１４】
さらに、無線リソース制御（ＲＲＣ）シグナリングに基づいて前記拡張物理上り制御チャネルへ前記周波数領域リソース位置を割り当てるステップは、１０ビットのビットマップ（ｂｉｔｍａｐ）によって前記拡張物理上り制御チャネルに対応するｉｎｔｅｒｌａｃｅを指示すること、または、４ビットによって、前記拡張物理上り制御チャネルが１０個のインターリーブユニット（ｉｎｔｅｒｌａｃｅ）のうちの何れか１つのインターリーブユニット（ｉｎｔｅｒｌａｃｅ）を占用するよう指示することを含む。
【００１５】
さらに、共通物理下り制御チャネルで搬送された下り制御情報（ＤＣＩ）に基づいて前記拡張物理上り制御チャネルの周波数領域リソース位置を指示するステップは、１０ビットのビットマップ（ｂｉｔｍａｐ）によって前記拡張物理上り制御チャネルに対応するインターリーブユニット（ｉｎｔｅｒｌａｃｅ）を指示すること、または、４ビットによって、前記拡張物理上り制御チャネルが１０個のｉｎｔｅｒｌａｃｅのうちの何れか１つのインターリーブユニット（ｉｎｔｅｒｌａｃｅ）を占用するよう指示することを含む。
【００１６】
さらに、前記共通物理下り制御チャネルで送信された制御チャネル要素（ＣＣＥ）の位置に基づいて前記拡張物理上り制御チャネルの周波数領域リソース位置を特定するステップは、規定のマッピングテーブルによって、前記共通物理下り制御チャネルの送信に占用されるＩ番目の制御チャネル要素（ＣＣＥ）の位置番号Ｊと前記拡張物理上り制御チャネルに対応するインターリーブユニット（ｉｎｔｅｒｌａｃｅ）番号Ｋとのマッピング関係を表すことを含む。
【００１７】
さらに、規定のマッピングテーブルによって、前記共通物理下り制御チャネルの送信に占用されるＩ番目の制御チャネル要素（ＣＣＥ）の位置番号Ｊと前記拡張物理上り制御チャネルに対応するインターリーブユニット（ｉｎｔｅｒｌａｃｅ）番号Ｋとのマッピング関係を表すステップは、前記無線リソース制御（ＲＲＣ）が前記共通物理下り制御チャネルの占用する１番目のＣＣＥ位置番号に基づいて、前記１番目の制御チャネル要素（ＣＣＥ）の位置番号Ｊを前記インターリーブユニット（ｉｎｔｅｒｌａｃｅ）番号Ｋに対応するように配置することを含む。
【００１８】
さらに、指示された前記拡張物理上り制御チャネル領域内に拡張物理上り制御チャネルを１グループのユーザ端末が伝送するよう指示するステップは、下り制御情報（ＤＣＩ）の占用する制御チャネル要素（ＣＣＥ）の位置に基づいて、指示された前記拡張物理上り制御チャネル領域における対応する拡張物理上り制御チャネル番号を特定すること、または、無線リソース制御（ＲＲＣ）に基づいて複数のユーザ端末を１グループのユーザ端末として配置し、グループＲＮＴＩにて前記共通物理下り制御チャネルをスクランブルし、前記１グループのユーザ端末のうちの各ユーザ端末の、指示された前記拡張物理上り制御チャネル領域における対応する拡張物理上り制御チャネル番号を指示すること、または、複数の下りサブフレームを指示し、前記複数の下りサブフレームにおいて下り伝送をスケジューリングされたユーザ端末が前記下り制御情報（ＤＣＩ）の占用する制御チャネル要素（ＣＣＥ）位置に応じて、指示された前記拡張物理上り制御チャネルにおける対応する拡張物理上り制御チャネル番号を選択することを含む。
【００１９】
さらに、下り制御情報（ＤＣＩ）の占用する制御チャネル要素（ＣＣＥ）の位置に基づいて、指示された前記拡張物理上り制御チャネル領域における対応する拡張物理上り制御チャネル番号を特定するステップは、前記ユーザ端末が指示された前記拡張物理上り制御チャネルにおいて複数のサブフレームに対応する上り制御情報ＵＣＩをフィードバックする際、前記複数のサブフレームに対応する伝送下りリンクスケジューリンググラント（ＤＬ ｇｒａｎｔ）の占用する制御チャネル要素（ＣＣＥ）の位置に基づいて等価ＣＣＥ位置を算出し、前記等価ＣＣＥ位置に基づいて前記拡張物理上り制御チャネル番号を指示することを含む。
【００２０】
さらに、前記等価ＣＣＥ位置は、前記複数のサブフレームのうちの最後の１つのサブフレームに対応する制御チャネル要素（ＣＣＥ）位置である。
【００２１】
さらに、無線リソース制御（ＲＲＣ）に基づいて複数のユーザ端末を１グループのユーザ端末として配置し、グループＲＮＴＩにて前記共通物理下り制御チャネルをスクランブルし、前記１グループのユーザ端末のうちの各ユーザ端末の、指示された前記拡張物理上り制御チャネル領域における対応する拡張物理上り制御チャネル番号を指示するステップは、下り制御情報（ＤＣＩ）により、前記１グループのユーザ端末のうちの各ユーザ端末の、指示された前記拡張物理上り制御チャネル領域における対応する拡張物理上り制御チャネル番号を明示的に指示すること、または、前記１グループのユーザ端末のうちの各ユーザ端末へ割り当てられたグループごとに唯一の番号に基づいて、指示された前記拡張物理上り制御チャネル領域内で前記ユーザ端末に対応する拡張物理上り制御チャネル番号を指示することを含む。
【００２２】
さらに、下り制御情報（ＤＣＩ）により、前記１グループのユーザ端末のうちの各ユーザ端末の、指示された前記拡張物理上り制御チャネル領域における対応する拡張物理上り制御チャネル番号を明示的に指示するステップは、前記拡張物理上り制御チャネルの開始番号を結合し、Ｘビットごとに、前記１グループのユーザ端末のうちの１つのユーザ端末に対応する前記拡張物理上り制御チャネル番号を指示することを含む。
【００２３】
さらに、Ｘビットごとに、前記１グループのユーザ端末のうちの１つのユーザ端末に対応する前記拡張物理上り制御チャネル番号を指示するステップは、前記拡張物理上り制御チャネルの開始番号がＮであるとき、前記共通物理下り制御チャネルにおける下り制御情報（ＤＣＩ）がユーザ端末ＵＥ‐２、ユーザ端末ＵＥ‐５及びユーザ端末ＵＥ‐６の拡張物理上り制御チャネル番号を指示することを含む。ただし、前記ユーザ端末ＵＥ‐２、前記ユーザ端末ＵＥ‐５及び前記ユーザ端末ＵＥ‐６の前記拡張物理上り制御チャネル番号は、それぞれ、Ｎ、Ｎ＋１及びＮ＋２である。
【００２４】
さらに、前記１グループのユーザ端末のうちの各ユーザ端末へ割り当てられたグループごとに唯一の番号に基づいて、指示された前記拡張物理上り制御チャネル領域内で前記ユーザ端末に対応する拡張物理上り制御チャネル番号を特定するステップは、前記グループごとに唯一の番号を前記拡張物理上り制御チャネルの開始番号に重畳して、前記ユーザ端末に対応する前記拡張物理上り制御チャネル番号を取得することを含む。ただし、前記開始番号は、前記共通物理下り制御チャネルの下り制御情報（ＤＣＩ）によって指示された番号である。
【００２５】
さらに、前記グループごとに唯一の番号を前記拡張物理上り制御チャネルの開始番号に重畳して、前記ユーザ端末に対応する前記拡張物理上り制御チャネル番号を取得するステップは、前記拡張物理上り制御チャネルの開始番号がＮである場合に、前記１グループのユーザ端末のうちのユーザ端末ＵＥ‐ｎに対応する拡張物理上り制御チャネル番号がＮ＋ｎとなる。
【００２６】
さらに、１つまたは複数の下りサブフレームを指示し、前記１つまたは複数の下りサブフレームにおいて下り伝送をスケジューリングされたユーザ端末が前記下りリンクスケジューリンググラント（ＤＬ ｇｒａｎｔ）の制御チャネル要素（ＣＣＥ）位置に応じて、指示された前記拡張物理上り制御チャネルにおける対応する拡張物理上り制御チャネル番号を選択するステップは、ユーザ端末が前記複数の下りサブフレームへフィードバックするとき、前記複数の下りサブフレームの下りリンクスケジューリンググラント（ＤＬ ｇｒａｎｔ）の制御チャネル要素（ＣＣＥ）位置に基づいて、等価ＣＣＥ位置を特定し、前記等価ＣＣＥ位置に基づいて前記拡張物理上り制御チャネル番号を特定することを含む。
【００２７】
さらに、ユーザ端末が前記複数の下りサブフレームへフィードバックする前に、前記方法は、前記下り制御情報によってＮ‐ｂｉｔにて現サブフレームの何れか１つの下りサブフレームを指示し、指示された前記何れか１つの下りサブフレームに前記ユーザ端末がスケジューリングされたか否かを判断するステップを更に含む。ユーザ端末が前記複数の下りサブフレームへフィードバックするステップは、指示された前記何れか１つの下りサブフレームに前記ユーザ端末がスケジューリングされたと判断した場合に、前記ユーザ端末が前記複数の下りサブフレームへフィードバックすることを含む。
【００２８】
さらに、前記等価ＣＣＥ位置は、１番目の制御チャネル要素（ＣＣＥ）位置である。
【００２９】
さらに、前記方法は、前記共通物理下り制御チャネルを介して、キャリアを跨いで前記拡張物理上り制御チャネルを指示するステップを更に含む。
【００３０】
さらに、前記共通物理下り制御チャネルを介して、キャリアを跨いで前記拡張物理上り制御チャネルを指示するステップは、下り制御情報（ＤＣＩ）に３ビットまたは３ビットより多くのキャリアインジケータフィールド（ＣＩＦ）を付加することで、前記共通物理下り制御チャネルを介してキャリアを跨いで前記拡張物理上り制御チャネルを指示することを含む。
【００３１】
さらに、前記下り制御情報（ＤＣＩ）は、前記拡張物理上り制御チャネルを指示するための下り制御情報（ＤＣＩ）、または、前記拡張物理上り制御チャネルであるかでないかを指示するための下り制御情報（ＤＣＩ）であってもよい。
【００３２】
さらに、前記共通物理下り制御チャネルを介して、以下の何れか一種の方式により、前記拡張物理上り制御チャネルでフィードバックされる上り制御情報ＵＣＩのタイプを指示する。つまり、異なるＲＮＴＩによって前記上り制御情報ＵＣＩのタイプを指示するか、それとも下り制御情報（ＤＣＩ）によって前記上り制御情報ＵＣＩのタイプを指示する。
【００３３】
さらに、前記上り制御情報ＵＣＩのタイプは、肯定応答ＡＣＫ／否定応答ＮＡＣＫフィードバック、マルチサブフレーム肯定応答ＡＣＫ／否定応答ＮＡＣＫフィードバック、マルチキャリア肯定応答ＡＣＫ／否定応答ＮＡＣＫフィードバック、マルチサブフレーム及びマルチキャリア肯定応答ＡＣＫ／否定応答ＮＡＣＫフィードバック、チャネル状態情報ＣＳＩフィードバック、マルチキャリアチャネル状態情報ＣＳＩフィードバック、参照信号ＳＲＳフィードバックおよびマルチキャリア参照信号ＳＲＳフィードバックのうちの何れか一種のタイプを含む。
【００３４】
さらに、異なるＲＮＴＩによって前記上り制御情報ＵＣＩのタイプを指示するステップは、予約されたＲＮＴＩの値範囲における、割り当てられた異なる値のＲＮＴＩのそれぞれをスクランブルし、異なる前記上り制御情報ＵＣＩタイプの前記共通物理下り制御チャネルを送信することを含む。
【００３５】
さらに、下り制御情報（ＤＣＩ）によって前記上り制御情報ＵＣＩのタイプを指示するステップは、前記下り制御情報（ＤＣＩ）におけるＸビットによって、フィードバックされる前記下り制御情報ＵＣＩタイプを指示することを含む。
【００３６】
さらに、前記下り制御情報（ＤＣＩ）におけるＸビットによって、フィードバックされる前記下り制御情報ＵＣＩのタイプを特定するステップは、３ビットによってＡＣＫ／ＮＡＣＫフィードバックを指示することと、３ビットによってマルチサブフレームＡＣＫ／ＮＡＣＫフィードバックを指示することと、３ビットによってマルチキャリアＡＣＫ／ＮＡＣＫフィードバックを指示することと、３ビットによってマルチサブフレーム及びマルチキャリアＡＣＫ／ＮＡＣＫフィードバックを指示することと、３ビットによってＣＳＩフィードバックを指示することと、３ビットによってマルチキャリアＣＳＩフィードバックを指示することと、３ビットによってＳＲＳフィードバックを指示することと、３ビットによってマルチキャリアＳＲＳフィードバックを指示することとを含む。
【００３７】
本発明の実施例の別の態様は、チャネル選択装置をさらに提供する。当該装置は、共通物理下り制御チャネルに基づいて拡張物理上り制御チャネル領域の時間領域リソース位置及び周波数領域リソース位置を指示するための第１指示手段と、指示された前記拡張物理上り制御チャネル領域内に拡張物理上り制御チャネルを１グループのユーザ端末が伝送するよう指示するための第２指示手段とを備え、異なるユーザ端末が、指示された異なる前記拡張物理上り制御チャネル領域内に拡張物理上り制御チャネルを伝送する。
【００３８】
さらに、前記第１指示手段は、第１特定モジュール、または第２特定モジュール、または第３特定モジュールを備える。第１特定モジュールは、共通物理下り制御チャネルが送信されたサブフレームの後のＮ番目のサブフレームを前記拡張物理上り制御チャネル領域の所在するサブフレームとする。ただし、前記共通物理下り制御チャネル領域の所在するサブフレームは、前記時間領域リソース位置である。第２特定モジュールは、前記共通物理下り制御チャネルが送信されたサブフレームの後のＮ番目の上りサブフレームを前記拡張物理上り制御チャネル領域の所在するサブフレームとする。ただし、前記共通物理下り制御チャネル領域の所在するサブフレームは、前記時間領域リソース位置である。第３特定モジュールは、前記共通物理下り制御チャネルで搬送された下り制御情報（ＤＣＩ）を取得し、前記ＤＣＩに基づいて前記拡張物理上り制御チャネル領域の時間領域リソース位置を指示する。
【００３９】
さらに、前記第１指示手段は、配置モジュール、または第１指示モジュール、または第４特定モジュールを備える。配置モジュールは、無線リソース制御（ＲＲＣ）シグナリングに基づいて前記拡張物理上り制御チャネルへ前記周波数領域リソース位置を割り当てる。第１指示モジュールは、共通物理下り制御チャネルで搬送された下り制御情報（ＤＣＩ）に基づいて前記拡張物理上り制御チャネル領域の周波数領域リソース位置を指示する。第４特定モジュールは、前記共通物理下り制御チャネルの占用する制御チャネル要素（ＣＣＥ）の位置に基づいて、前記拡張物理上り制御チャネル領域の周波数領域リソース位置を特定する。
【００４０】
さらに、前記第２指示手段は、第５特定モジュール、または第２指示モジュール、または第６特定モジュールを備える。第５特定モジュールは、下り制御情報（ＤＣＩ）の占用する制御チャネル要素（ＣＣＥ）の位置に基づいて、指示された前記拡張物理上り制御チャネル領域における対応する拡張物理上り制御チャネル番号を特定する。第２指示モジュールは、無線リソース制御（ＲＲＣ）に基づいて、複数のユーザ端末を１グループのユーザ端末として配置し、グループＲＮＴＩにて前記共通物理下り制御チャネルをスクランブルし、前記１グループのユーザ端末のうちの各ユーザ端末の、指示された前記拡張物理上り制御チャネル領域における対応する拡張物理上り制御チャネル番号を指示する。第６特定モジュールは、複数の下りサブフレームを指示し、前記複数の下りサブフレームにおいて下り伝送をスケジューリングされたユーザ端末が前記下りリンクスケジューリンググラント（ＤＬ ｇｒａｎｔ）の占用する制御チャネル要素（ＣＣＥ）位置に基づいて、指示された前記拡張物理上り制御チャネルにおける対応する拡張物理上り制御チャネル番号を特定する。
【００４１】
本発明の実施例は、非一時的コンピュータ読み取り可能な記憶媒体を更に提供する。前記非一時的コンピュータ読み取り可能な記憶媒体は、コンピュータ命令を記憶し、前記コンピュータ命令により、前記コンピュータは、本発明の上記チャネル選択方法を実行する。
【００４２】
本発明の実施例は、コンピュータプログラム製品を更に提供する。前記コンピュータプログラム製品は、非一時的コンピュータ読み取り可能な記憶媒体に記憶されるコンピュータプログラムを含み、前記コンピュータプログラムは、プログラム命令を含み、前記プログラム命令がコンピュータに実行されたとき、前記コンピュータは、本発明の上記チャネル選択方法を実行可能である。
【００４３】
本発明の実施例は、電子機器を更に提供する。当該電子機器は、少なくとも１つのプロセッサと、前記少なくとも１つのプロセッサに通信可能に接続されるメモリと、を備える。前記メモリには、前記少なくとも１つのプロセッサの実行可能な命令が記憶される。前記命令は、本発明の上記チャネル選択方法を実行するように設定される。
【発明の効果】
【００４４】
本発明の実施例では、共通物理下り制御チャネルに基づいて拡張物理上り制御チャネル領域の時間領域リソース位置及び周波数領域リソース位置を指示し、１グループのユーザ端末が指示された前記拡張物理上り制御チャネル領域内に拡張物理上り制御チャネルを伝送するよう指示する。ただし、異なるユーザ端末が指示された異なる前記拡張物理上り制御チャネル領域内に拡張物理上り制御チャネルを伝送する。この方式において、共通物理下り制御チャネルによって拡張物理上り制御チャネルの時間領域リソース位置及び周波数領域リソース位置を指示し、異なるユーザ端末が指示された異なる拡張物理上り制御チャネル領域内に拡張物理上り制御チャネルを伝送するよう指示するため、異なるユーザ端末が異なる拡張物理上り制御チャネル内にデータを伝送する目的を果たし、更に、大量のユーザが拡張物理上り制御チャネルにデータを伝送するときの、上りリンクスケジューリンググラントによる下りシグナリングオーバーヘッドの膨大という従来技術の問題を解決するとともに、複数のユーザ端末を指示するときの相互干渉が回避される技術効果も奏する。
【００４５】
ここで説明する図面は、本発明に対する更なる理解を与え、本願の一部を構成する。本発明の模式的な実施例およびその説明は、本発明を解釈するためのものであり、本発明に対する不適切な限定にならない。
【図面の簡単な説明】
【００４６】
【図１】従来技術に係る移動通信ネットワークの基本アーキテクチャの模式図である。
【図２】従来技術に係るリソース割当の模式図である。
【図３】本発明の実施例に係るチャネル選択方法のフローチャートである。
【図４】本発明の実施例に係るチャネル選択装置の模式図である。
【図５】本発明の実施例に係るチャネル選択を実行する電子機器のハードウェア構成図である。
【発明を実施するための形態】
【００４７】
本発明の解決手段が当業者により良く理解されるように、本発明の実施例における技術案について、本発明の実施例における図面を参照しながら、明瞭で完全に説明する。明らかに、かかる実施例が単に本発明の実施例の一部に過ぎず、全部の実施例とは言えない。本発明中の実施例に基づいて当業者が進歩性に値する労働をせずになしたあらゆる他の実施例は、何れも本発明の保護範囲に含まれる。
【００４８】
説明すべきことは、本発明の明細書、特許請求の範囲及び上記図面における用語「第１」、「第２」などは、類似するターゲットを区分するために用いられたが、必ずしも特定の順番や前後を表すとは限らない。このように使用されるデータが適宜交換可能であることは、理解されるべきである。ここでの本発明の実施例は、ここでの図示または記述以外の順番でも実施可能である。なお、用語「備える」、「含む」およびそれらの如何なる変形は、非排他的な包含をカバーすることを図る。例えば、一連のステップや手段を含む手順、方法、システム、製品または機器は、はっきり挙げられたステップや手段に限定されず、はっきり挙げられていないもの、またはこれらの手順、方法、製品または機器に固有の他のステップや手段も含有可能である。
【００４９】
（実施例１）
本発明の実施例は、チャネル選択方法の実施例を提供する。説明すべきことは、図面のフローチャートに示されるステップは、例えば、１グループのコンピュータ実行可能な命令のコンピュータシステムで実行可能である。そして、フローチャートで論理順番が示されたが、幾つかの場合に、ここでの順番と異なる順番で示されるまたは記述されるステップを実行可能である。
【００５０】
図３は、本発明の実施例に係るチャネル選択方法を示すフローチャートである。図３に示すように、当該方法は、以下のステップを含む。
【００５１】
ステップＳ３０２では、共通物理下り制御チャネル(Ｃｏｍｍｏｎ ＰＤＣＣＨ、Ｃ‐ＰＤＣＣＨと略称する)に基づいて拡張物理上り制御チャネル領域の時間領域リソース位置及び周波数領域リソース位置を指示する。
【００５２】
ステップＳ３０４では、指示された拡張物理上り制御チャネル領域内に拡張物理上り制御チャネルを１グループのユーザ端末が伝送するよう指示する。ただし、異なるユーザ端末は、指示された異なる拡張物理上り制御チャネル領域内に拡張物理上り制御チャネルを伝送する。
【００５３】
説明すべきことは、本発明の実施例において、同一の制御シグナリングにより、１グループのユーザ端末のうちの各ユーザ端末へそれに対応する拡張物理上り制御チャネルの番号を同時に指示可能である。更に、各ユーザ端末は、受信された指示に基づいて、それに対応する拡張物理上り制御チャネル内に制御シグナリングを伝送可能である。これにより、複数のユーザ端末ＵＥ間の衝突が回避される。
【００５４】
本発明の実施例では、共通物理下り制御チャネルによって拡張物理上り制御チャネルの時間領域リソース位置及び周波数領域リソース位置を指示し、且つ指示された異なる拡張物理上り制御チャネル領域内に拡張物理上り制御チャネルを異なるユーザ端末が伝送するよう指示するため、異なるユーザ端末が異なる拡張物理上り制御チャネル内にデータを伝送する目的を果たし、更に、大量のユーザが拡張物理上り制御チャネルにデータを伝送するときの、上りリンクスケジューリンググラントによる下りシグナリングオーバーヘッドの膨大という従来技術の問題を解決するとともに、複数のユーザ端末を同時に指示するときの相互干渉が回避される技術効果も奏する。
【００５５】
説明すべきことは、本発明の実施例で記述される移動通信の具体的な技術が限定されず、ＷＣＤＭＡ、ＣＤＭＡ２０００、ＴＤ‐ＳＣＤＭＡ、ＷｉＭＡＸ、ＬＴＥ／ＬＴＥ‐Ａ、ＬＡＡ、ＭｕＬＴＥｆｉｒｅおよび後続出現する第５世代、第６世代、第Ｎ世代の移動通信技術であってもよい。
【００５６】
本発明で記述されるユーザ端末は、陸上移動通信システムの通信プロトコルをサポートする端末側製品、例えば、特別通信のモデムモジュール(Ｗｉｒｅｌｅｓｓ Ｍｏｄｅｍ)であってもよい。当該特別通信のモデムモジュールは、携帯電話、タブレットＰＣ、データカード等の各種タイプの端末形態に集積されて通信機能を完成可能である。
【００５７】
記述の便宜上、本発明の下記実施例において、第４世代移動通信システムＬＴＥ／ＬＴＥ‐Ａおよびその派生するＭｕＬＴＥｆｉｒｅを例として説明する。ユーザ端末は、ＵＥ(Ｕｓｅｒ Ｅｑｕｉｐｍｅｎｔ)と示され、アクセスネットワーク機器は、基地局ｅＮＢまたはアクセスポイント(Ａｃｃｅｓｓ Ｐｏｉｎｔ、ＡＰと略称する)と示される。
【００５８】
共通物理下り制御チャネルに基づいて拡張物理上り制御チャネル領域の時間領域リソース位置を指示する方式は、複数種あり得る。本発明の実施例では、以下の３種方式のうちの何れか一種の方式を採用して拡張物理上り制御チャネル領域の時間領域リソース位置を指示してもよい。
【００５９】
方式１：共通物理下り制御チャネルが送信されたサブフレームの後のＮ番目のサブフレームを拡張物理上り制御チャネル領域の所在するサブフレームとする。ただし、共通物理下り制御チャネル領域の所在するサブフレームは、時間領域リソース位置である。Ｎは、以下の何れか一種の方式にて配置される。つまり、Ｎは、無線リソース制御（ＲＲＣ）によって配置されるか、それとも規格で予め設定される。
【００６０】
具体的に、ユーザ端末は、下りサブフレームＭにｅＰＵＣＣＨ時間領域リソース位置を指示するためのＣ‐ＰＤＣＣＨを検出したときに、現下りサブフレームＭ後のＮ個のサブフレーム(即ち、Ｍ＋Ｎ)をｅＰＵＣＣＨ ｒｅｇｉｏｎの所在するサブフレームとし、更にサブフレームＭ＋Ｎにおいて当該ｅＰＵＣＣＨを送信可能である。
【００６１】
方式２：共通物理下り制御チャネルが送信されたサブフレームの後のＮ番目の上りサブフレームを拡張物理上り制御チャネル領域の所在するサブフレームとする。ただし、共通物理下り制御チャネル領域の所在するサブフレームは、時間領域リソース位置である。本発明の実施例では、Ｎは、以下の何れか１つの方式にて配置可能である。つまり、Ｎは、無線リソース制御（ＲＲＣ）によって配置されるか、下り制御情報（ＤＣＩ）によって配置されるか、それとも規格で予め設定される。
【００６２】
具体的に、共通物理下り制御チャネルＣ‐ＰＤＣＣＨが送信されたサブフレームの後のＮ番目の上りサブフレームに基づいて、拡張物理上り制御チャネル領域ｅＰＵＣＣＨ ｒｅｇｉｏｎの所在するサブフレームを特定し、更に当該サブフレームによってｅＰＵＣＣＨの時間領域リソース位置を指示してもよい。
【００６３】
方式３：共通物理下り制御チャネルで搬送された下り制御情報（ＤＣＩ）を取得し、ＤＣＩに基づいて拡張物理上り制御チャネルの時間領域リソース位置を指示する。
【００６４】
下り制御情報（ＤＣＩ）は、拡張物理上り制御チャネルの時間領域リソース位置を指示する情報を含む。具体的に、ユーザ端末ＵＥが下りサブフレームＮにおいて拡張物理上り制御チャネルｅＰＵＣＣＨを指示するための共通物理下り制御チャネルＣ‐ＰＤＣＣＨを検出したときに、Ｃ‐ＰＤＣＣＨで伝送されている下り制御情報（ＤＣＩ）に基づいて拡張物理上り制御チャネル領域ｅＰＵＣＣＨ ｒｅｇｉｏｎの時間領域リソース位置を特定可能である。例えば、下り制御情報（ＤＣＩ）で指示された共通物理下り制御チャネルの所在する現サブフレーム後のＮ番目のサブフレームを拡張物理上り制御チャネル領域ｅＰＵＣＣＨ ｒｅｇｉｏｎの所在するサブフレームとする。ただし、３ビットによって、範囲が１から８である下りサブフレームＮを示せる。
【００６５】
共通物理下り制御チャネルに基づいて拡張物理上り制御チャネル領域の周波数領域リソース位置を指示する方式は、複数種あり得る。本発明の実施例では、以下の３種の方式のうちの何れか１種の方式を使用して、拡張物理上り制御チャネル領域の周波数領域リソース位置を指示可能である。
【００６６】
方式１：無線リソース制御（ＲＲＣ）シグナリングに基づいて、拡張物理上り制御チャネル領域へ周波数領域リソース位置を配置する。
【００６７】
具体的に、アクセスネットワーク機器(例えば、基地局ｅＮＢ)は、ユーザ端末へ無線リソース制御（ＲＲＣ）シグナリングを配信し、更にユーザ端末へそれに対応するｅＰＵＣＣＨの周波数領域での位置を通知する。
【００６８】
以下の何れか一種の方法によって、ｅＰＵＣＣＨ領域の周波数領域リソース位置を指示してもよい。例えば、２０ＭＨｚ帯域幅で１０個のｉｎｔｅｒｌａｃｅを有するため、１０ビットのビットマップ（ｂｉｔｍａｐ）によって、拡張物理上り制御チャネルｅＰＵＣＣＨに対応するインターリーブユニット（ｉｎｔｅｒｌａｃｅ）を指示してもよいし、４ビットによって、拡張物理上り制御チャネルｅＰＵＣＣＨが１０個のインターリーブユニット（ｉｎｔｅｒｌａｃｅ）のうちの何れか１つのインターリーブユニット（ｉｎｔｅｒｌａｃｅ）を占用するよう指示してもよい。
【００６９】
方式２：共通物理下り制御チャネルで搬送された下り制御情報（ＤＣＩ）に基づいて拡張物理上り制御チャネル領域の周波数領域リソース位置を指示する。
【００７０】
具体的に、上記方式１により拡張物理上り制御チャネルｅＰＵＣＣＨ領域の周波数領域リソース位置を指示する以外、方式２によりｅＰＵＣＣＨ領域の周波数領域リソース位置を指示してもよい。例えば、２０ＭＨｚ帯域幅で１０個のｉｎｔｅｒｌａｃｅを有するため、１０ビットのビットマップ（ｂｉｔｍａｐ）によって、拡張物理上り制御チャネルｅＰＵＣＣＨに対応するインターリーブユニット（ｉｎｔｅｒｌａｃｅ）を指示してもよいし、４ビットによって拡張物理上り制御チャネルｅＰＵＣＣＨが１０個のインターリーブユニット（ｉｎｔｅｒｌａｃｅ）のうちの何れか１つのインターリーブユニット（ｉｎｔｅｒｌａｃｅ）を占用するよう指示してもよい。
【００７１】
方式３：共通物理下り制御チャネルの占用する制御チャネル要素（ＣＣＥ）の位置に基づいて拡張物理上り制御チャネル領域の周波数領域リソース位置を特定する。
【００７２】
上記方式１及び方式２の他に、方式３によって拡張物理上り制御チャネルｅＰＵＣＣＨ領域の周波数領域リソース位置を指示してもよい。
【００７３】
具体的に、規定のマッピングテーブルによって、共通物理下り制御チャネルの送信の占用するＩ番目の制御チャネル要素（ＣＣＥ）の位置番号Ｊと拡張物理上り制御チャネルに対応するインターリーブユニット（ｉｎｔｅｒｌａｃｅ）番号Ｋとのマッピング関係を表してもよい。ただし、当該マッピング関係は、無線リソース制御（ＲＲＣ）によって配置されてもよいし、規格で予め設定されることで配置されてもよい。
【００７４】
例えば、無線リソース制御（ＲＲＣ）が共通物理下り制御チャネルの占用する１番目のＣＣＥ位置番号に基づいて、１番目の制御チャネル要素（ＣＣＥ）の位置番号Ｊをインターリーブユニット（ｉｎｔｅｒｌａｃｅ）番号Ｋに対応付けるように配置する。つまり、Ｃ‐ＰＤＣＣＨの占用する１番目のＣＣＥ位置番号に基づいて、ＲＲＣは、直接１番目のＣＣＥ位置番号を直接インターリーブユニット（ｉｎｔｅｒｌａｃｅ）の番号に対応付させる。Ｃ‐ＰＤＣＣＨの１番目のＣＣＥ番号が０とすれば、ｅＰＵＣＣＨは、０番目のインターリーブユニット（ｉｎｔｅｒｌａｃｅ）において送信される。
【００７５】
複数のユーザ端末に対して、指示された拡張物理上り制御チャネル領域内に拡張物理上り制御チャネルを伝送するよう指示する方式は、複数種あり得る。本発明の実施例は、以下の何れか一種の方式を含んでもよい。
【００７６】
方式１：下り制御情報（ＤＣＩ）の占用する制御チャネル要素（ＣＣＥ）の位置に基づいて、指示された拡張物理上り制御チャネル領域における対応する拡張物理上り制御チャネル番号を特定する。
【００７７】
基地局は、ユーザ端末へ下り制御情報（ＤＣＩ）を送信して、ユーザ端末ＵＥが上り制御情報ＵＣＩをフィードバックするようトリガすることが可能である。例えば、基地局は、下りデータチャネルＰＤＳＣＨを介してユーザ端末ＵＥへ上りリンクスケジューリンググラントＤＬ ｇｒａｎｔを送信して、ユーザ端末ＵＥがＰＤＳＣＨに対応するＡＣＫ／ＮＡＣＫをフィードバックするようトリガすることが可能である。そして、ユーザ端末ＵＥは、基地局が下り制御情報（ＤＣＩ）を伝送する(Ｅ)ＰＤＣＣＨのＥＥＣ位置に基づいて、指示されたｅＰＵＣＣＨ ｒｅｇｉｏｎにおける対応するｅＰＵＣＣＨ番号を特定可能であるため、基地局のスケジューリングによってユーザ端末間の衝突を回避できる。
【００７８】
具体的に、ユーザ端末は、指示された拡張物理上り制御チャネルにおいて複数のサブフレームに対応する上り制御情報ＵＣＩをフィードバックする際、ＵＣＩをフィードバックする必要のある複数のサブフレームに対応する伝送下り制御情報（ＤＣＩ）の制御チャネル要素（ＣＣＥ）位置に基づいて等価ＣＣＥ位置を算出し、当該等価ＣＣＥ位置に応じて拡張物理上り制御チャネルｅＰＵＣＣＨ番号を指示してもよい。ただし、等価ＣＣＥ位置は、複数のサブフレームのうちの最後の１つのサブフレームに対応する制御チャネル要素（ＣＣＥ）位置であってもよい。
【００７９】
方式２：無線リソース制御（ＲＲＣ）に基づいて複数のユーザ端末を１グループのユーザ端末として配置し、グループＲＮＴＩにて共通物理下り制御チャネルをスクランブルし、１グループのユーザ端末のうちの各ユーザ端末の、指示された拡張物理上り制御チャネル領域における対応する拡張物理上り制御チャネル番号を指示する。
【００８０】
具体的に、基地局は、ＲＲＣによって複数のユーザ端末ＵＥを１グループのユーザ端末として配置し、グループごとに１つのグループＲＮＴＩ(ブロードキャストが必要であるときに、特別共通ＲＮＴＩである)を割り当て、当該グループ内の各ユーザ端末ＵＥへグループごとに唯一の番号を１つ割り当てる。そして、当該グループＲＮＴＩによって共通物理下り制御チャネルＣ‐ＰＤＣＣＨをスクランブルする。Ｃ‐ＰＤＣＣＨのスクランブル後、下り制御情報（ＤＣＩ）によって、当該１グループのユーザ端末のうちの各ユーザ端末の、指示された拡張物理上り制御チャネル領域ｅＰＵＣＣＨ ｒｅｇｉｏｎにおける対応する拡張物理上り制御チャネルｅＰＵＣＣＨ番号を示せる。ＤＣＩによる明示的な指示方式は、拡張物理上り制御チャネルｅＰＵＣＣＨの開始番号を結合し、Ｘビットごとに１グループのユーザ端末のうちの１つのユーザ端末に対応する拡張物理上り制御チャネルｅＰＵＣＣＨ番号を指示してもよい。例えば、拡張物理上り制御チャネルの開始番号がＮである場合に、共通物理下り制御チャネルでの下り制御情報（ＤＣＩ）は、ユーザ端末ＵＥ‐２、ユーザ端末ＵＥ‐５及びユーザ端末ＵＥ‐６の拡張物理上り制御チャネル番号を同時に指示する。ただし、ユーザ端末ＵＥ‐２、ユーザ端末ＵＥ‐５及びユーザ端末ＵＥ‐６の前記拡張物理上り制御チャネル番号は、それぞれＮ、Ｎ＋１及びＮ＋２である。
【００８１】
本発明の実施例では、当該１グループのユーザ端末のうちの各ユーザ端末へ割り当てられたグループごとに唯一の番号に基づいて、指示された拡張物理上り制御チャネル領域ｅＰＵＣＣＨ ｒｅｇｉｏｎ内にユーザ端末に対応する拡張物理上り制御チャネルｅＰＵＣＣＨ番号を特定してもよい。ＲＲＣにて割り当てられたグループごとに唯一の番号によってｅＰＵＣＣＨ番号を選択する方式は、グループごとに唯一の番号を拡張物理上り制御チャネルの開始番号に重畳して、ユーザ端末に対応する拡張物理上り制御チャネル番号を取得してもよい。ただし、開始番号は、共通物理下り制御チャネルの下り制御情報（ＤＣＩ）で指示された番号である。例えば、拡張物理上り制御チャネルの開始番号がＮである場合に、１グループのユーザ端末のうちの任意のユーザ端末ＵＥ‐ｎに対応する拡張物理上り制御チャネル番号は、Ｎ＋ｎとなる。
【００８２】
方式３：複数の下りサブフレームを指示し、複数の下りサブフレームにおいて下り伝送をスケジューリングされたユーザ端末が下り制御情報（ＤＣＩ）の占用する制御チャネル要素（ＣＣＥ）位置に応じて、指示された拡張物理上り制御チャネルにおける対応する拡張物理上り制御チャネル番号を選択する。
【００８３】
具体的に、下り制御情報（ＤＣＩ）においてＮ‐ｂｉｔによって現サブフレーム前の何れか１つの下りサブフレームを指示し、Ｃ‐ＰＤＣＣＨを占用するユーザ端末ＵＥが指示された何れか１つの下りサブフレームにおいてスケジューリングされたか否かを判断する。例えば、当該Ｃ‐ＰＤＣＣＨを占用するユーザ端末ＵＥが指示された下りサブフレームにおいてスケジューリングされたと検出した場合に、指示されたｅＰＵＣＣＨにおいてフィードバックを行う。ユーザ端末ＵＥが複数の下りサブフレームへフィードバックする際、複数の下りサブフレームの下りリンクスケジューリンググラント（ＤＬ ｇｒａｎｔ）の占用する制御チャネル要素（ＣＣＥ）の位置に基づいて１つの等価ＣＣＥ位置を特定し、当該等価ＣＣＥ位置に基づいて拡張物理上り制御チャネル(ｅＰＵＣＣＨ)番号を特定する。ただし、当該等価ＣＣＥ位置は、１番目の制御チャネル要素（ＣＣＥ）位置であってもよい。
【００８４】
本発明に供されるチャネル選択方法は、さらに、共通物理下り制御チャネルＣ‐ＰＤＣＣＨを介して、拡張物理上り制御チャネルｅＰＵＣＣＨにおいてフィードバックする必要のある上り制御情報ＵＣＩのタイプを指示することを含む。ここで、以下の何れか一種の方式により、ｅＰＵＣＣＨにおいてフィードバックする必要のあるＵＣＩのタイプを指示してもよい。つまり、異なるＲＮＴＩによって上り制御情報ＵＣＩのタイプを指示してもよく、下り制御情報（ＤＣＩ）によって上り制御情報ＵＣＩのタイプを指示してもよい。
【００８５】
上記フィードバックする必要のある上り制御情報ＵＣＩのタイプは、肯定応答ＡＣＫ／否定応答ＮＡＣＫフィードバックと、マルチサブフレーム肯定応答ＡＣＫ／否定応答ＮＡＣＫフィードバックと、マルチキャリア肯定応答ＡＣＫ／否定応答ＮＡＣＫフィードバックと、マルチサブフレーム及びマルチキャリア肯定応答ＡＣＫ／否定応答ＮＡＣＫフィードバックと、チャネル状態情報ＣＳＩフィードバックと、マルチキャリアチャネル状態情報ＣＳＩフィードバックと、参照信号ＳＲＳフィードバックと、マルチキャリア参照信号ＳＲＳフィードバックとのうちの何れか１種のタイプを含む。
【００８６】
具体的に、異なるＲＮＴＩにて上り制御情報ＵＣＩのタイプを指示するステップは、予約されたＲＮＴＩの値範囲における、割り当てられた異なる値のＲＮＴＩのそれぞれをスクランブルし、異なる前記上り制御情報ＵＣＩタイプの前記共通物理下り制御チャネルを送信することを含む。
【００８７】
下り制御情報（ＤＣＩ）によって上り制御情報ＵＣＩのタイプを指示するステップは、下り制御情報（ＤＣＩ）におけるＸビットによって、フィードバックされる下り制御情報ＵＣＩタイプを指示することを含む。下り制御情報（ＤＣＩ）におけるＸビットによって、フィードバックされる下り制御情報ＵＣＩタイプを指示するステップは、３ビットによってＡＣＫ／ＮＡＣＫフィードバックを指示することと、３ビットによってマルチサブフレームＡＣＫ／ＮＡＣＫフィードバックを指示することと、３ビットによってマルチキャリアＡＣＫ／ＮＡＣＫフィードバックを指示することと、３ビットによってマルチサブフレーム及びマルチキャリアＡＣＫ／ＮＡＣＫフィードバックを指示することと、３ビットによってＣＳＩフィードバックを指示することと、３ビットによってマルチキャリアＣＳＩフィードバックを指示することと、３ビットによってＳＲＳフィードバックを指示することと、３ビットによってマルチキャリアＳＲＳフィードバックを指示することとを含む。
【００８８】
本発明に供されるチャネル選択方法は、共通物理下り制御チャネルを介してキャリアを跨いで拡張物理上り制御チャネルを指示するステップを更に含む。具体的に、基地局は、キャリアＮにおいてＣ‐ＰＤＣＣＨを送信してキャリアＭでのｅＰＵＣＣＨ情報を指示してもよい。ただし、共通物理下り制御チャネルを介してキャリアを跨いで拡張物理上り制御チャネルを指示するステップは、下り制御情報（ＤＣＩ）に３ビットまたは３ビットより多くのキャリアインジケータフィールド（ＣＩＦ）を付加することにより、共通物理下り制御チャネルを介してキャリアを跨いで拡張物理上り制御チャネルを指示することを含む。
【００８９】
説明すべきことは、本発明の上記実施例において、共通物理下り制御チャネルＣ‐ＰＤＣＣＨにおけるＤＣＩが拡張物理上り制御チャネルを指示するための専用の下り制御情報であってもよいし、拡張物理上り制御チャネルを指示するための下り制御情報に加えて、他の指示を含むものであってもよい。
【００９０】
本発明に供されるチャネル選択方法は、共通物理下り制御チャネルＣ‐ＰＤＣＣＨによって複数のユーザ端末ＵＥの拡張物理上り制御チャネルｅＰＵＣＣＨを指示する方法である。本発明に供されるチャネル選択方法によれば、制御シグナリングオーバーヘッドが低減されたうえで、異なるユーザ端末ＵＥが異なるｅＰＵＣＣＨに送信するよう指示することが柔軟にサポートされるとともに、ユーザ端末ＵＥ間の衝突が回避される。
【００９１】
（実施例２）
本発明の実施例に供されるチャネル選択方法では、共通物理下り制御チャネル(Ｃ‐ＰＤＣＣＨ)を介して拡張物理上り制御チャネル(ｅＰＵＣＣＨ)の時間領域リソース位置及び周波数領域リソース位置を指示することは、具体的に下記のようになる。
【００９２】
ステップＳ１では、拡張物理上り制御チャネル領域の時間領域位置を指示する。
【００９３】
具体的には、共通物理下り制御チャネルが送信されたサブフレーム後のＮ番目のサブフレームは、拡張物理上り制御チャネル領域の所在するサブフレームである。ただし、Ｎは、ＲＲＣによって配置されるか、それとも予め規定される。または、共通物理下り制御チャネルで搬送された下り制御情報（ＤＣＩ）に基づいて指示された現サブフレーム後のＮ番目のサブフレームは、拡張物理上り制御チャネル領域の所在するサブフレームである。
【００９４】
ステップＳ２では、拡張物理上り制御チャネル領域の周波数領域位置を指示する。
【００９５】
具体的には、当該周波数領域位置は、無線リソース制御（ＲＲＣ）シグナリングに基づいて配置されたリソース位置と、共通物理下り制御チャネルで搬送された下り制御情報（ＤＣＩ）に基づいて指示された無線リソース位置と、共通物理下り制御チャネルが送信されたＣＣＥ位置に基づいて特定された拡張物理上り制御チャネル領域の周波数領域位置とを含む。
【００９６】
ステップＳ３では、１グループの端末に対して、指示された拡張物理上り制御チャネル領域内に拡張物理上り制御チャネルを伝送するよう指示する。
【００９７】
具体的には、ユーザ端末ＵＥは、ＤＬ ｇｒａｎｔの占用する制御チャネル要素（ＣＣＥ）位置に基づいて、指示されたｅＰＵＣＣＨ ｒｅｇｉｏｎにおける対応するｅＰＵＣＣＨ番号を特定し、基地局ｅＮＢのスケジューリングによりＵＥ間の衝突を回避する。または、ユーザ端末ＵＥは、ＲＲＣによって複数のＵＥを１グループに配置し、グループＲＮＴＩにて共通物理下り制御チャネルをスクランブルし、当該グループ内における複数のＵＥの、指示されたｅＰＵＣＣＨ ｒｅｇｉｏｎにおける対応するｅＰＵＣＣＨ番号を明示的に指示する。または、複数の下りサブフレームＤＬ ｓｕｂｆｒａｍｅを指示し、当該ＤＬ ｓｕｂｆｒａｍｅにおいて下り伝送をスケジューリングされたＵＥは、そのＤＬ ｇｒａｎｔの占用するＣＣＥ位置に応じて、指示されたｅＰＵＣＣＨ ｒｅｇｉｏｎにおける対応するｅＰＵＣＣＨ番号を選択する。
【００９８】
本発明の実施例では、上記ＣＰＤＣＣＨとそれによって指示されるｅＰＵＣＣＨとは、異なるキャリアに存在してもよい。即ち、キャリアを跨いで指示可能である。
【００９９】
上記技術案の具体的な実施形態は、下記のようになる。
【０１００】
上記ステップＳ１において、Ｃ‐ＰＤＣＣＨを介してｅＰＵＣＣＨ領域の時間領域リソース位置を指示することは、下記のように実現可能である。
【０１０１】
好ましい方法としては、共通物理下り制御チャネルＣ‐ＰＤＣＣＨが送信されたサブフレームの後のＮ番目のサブフレームを拡張物理上り制御チャネル領域の所在するサブフレームとする。Ｎは、ＲＲＣによって配置されるか、それとも規格で予め規定される。ＵＥは、下りサブフレームＭにおいてｅＰＵＣＣＨリソース位置を指示するためのＣ‐ＰＤＣＣＨを成功に検出したときに、サブフレームＭ＋ＮにおいてｅＰＵＣＣＨを送信する。
【０１０２】
別の好ましい方法としては、共通物理下り制御チャネルで搬送された下り制御情報（ＤＣＩ）に基づいて指示された現サブフレーム後のＮ番目のサブフレームを拡張物理上り制御チャネル領域の所在するサブフレームとする。ＵＥは、下りサブフレームＭにおいてｅＰＵＣＣＨリソース位置を指示するためのＣ‐ＰＤＣＣＨを成功に検出したときに、Ｃ‐ＰＤＣＣＨでのＤＣＩにおける指示内容に基づいてｅＰＵＣＣＨに対応するサブフレーム番号を特定する。例えば、３‐ｂｉｔによって範囲が１‐８であるＮを表す。
【０１０３】
更に別の好ましい方法としては、共通物理下り制御チャネルが送信されたサブフレームの後のＮ番目の上りサブフレームを拡張物理上り制御チャネル領域の所在するサブフレームとする。ただし、Ｎは、ＲＲＣによって配置されるか、規格で予め規定されるか、それともＤＣＩによって指示される。
【０１０４】
上記ステップＳ２においてＣ‐ＰＤＣＣＨを介してｅＰＵＣＣＨ領域周波数領域リソース位置を指示することは、下記の方式にて実現可能である。
【０１０５】
上記ステップＳ１における時間領域位置の指示に加えて、拡張物理上り制御チャネル領域の周波数領域位置を更に指示することは、下記の方式を含む。
【０１０６】
１つの方式としては、無線リソース制御（ＲＲＣ）シグナリングに基づいてリソース位置を配置し、ｅＮＢがＲＲＣシグナリングを介してＵＥへそれに対応するｅＰＵＣＣＨの周波数領域でのリソース位置を通知する。例えば、１０‐ｂｉｔのビットマップ（ｂｉｔｍａｐ）方式によって、ｅＰＵＣＣＨに対応するｉｎｔｅｒｌａｃｅを指示し、または、４‐ｂｉｔによって、ｅＰＵＣＣＨが１０個のインターリーブユニット（ｉｎｔｅｒｌａｃｅ）のうちのあるｉｎｔｅｒｌａｃｅを占用するよう指示する。
【０１０７】
別の方式としては、共通物理下り制御チャネルで搬送された下り制御情報（ＤＣＩ）に基づいて無線リソース位置を指示する。例えば、１０‐ｂｉｔのｂｉｔｍａｐ方式によって、ｅＰＵＣＣＨに対応するｉｎｔｅｒｌａｃｅを指示し、または、４‐ｂｉｔによって、ｅＰＵＣＣＨが１０個のｉｎｔｅｒｌａｃｅのうちのあるｉｎｔｅｒｌａｃｅを占用するよう指示する。
【０１０８】
更に別の方式としては、共通物理下り制御チャネルの送信に占用されるＣＣＥ位置に基づいて拡張物理上り制御チャネル領域の周波数領域位置を特定し、１つのマッピングテーブルを規定して、Ｃ‐ＰＤＣＣＨを送信するＩ番目のＣＣＥ位置番号ＪをｅＰＵＣＣＨに対応するｉｎｔｅｒｌａｃｅ番号Ｋに対応付けることを表す。当該マッピング関係は、ＲＲＣによって配置されるか、または規格で規定される。例えば、Ｃ‐ＰＤＣＣＨの１番目のＣＣＥ位置番号に基づいて、ＲＲＣは、直接ＣＣＥ番号をｉｎｔｅｒｌａｃｅ番号に対応付けさせる。Ｃ‐ＰＤＣＣＨの１番目のＣＣＥ番号が０とすれば、ｅＰＵＣＣＨは、０番目のｉｎｔｅｒｌａｃｅにおいて送信される。
【０１０９】
上記ステップＳ３において、Ｃ‐ＰＤＣＣＨを介して複数のＵＥのｅＰＵＣＣＨ番号を指示することは、以下の何種かの方式を含む。
【０１１０】
ステップＳ１及び実施例のステップＳ２の組合わせにより、ｅＰＵＣＣＨ領域の時間・周波数リソース位置を取得可能である。同じ時間・周波数リソース(例えば、２０ＭＨｚ帯域幅の場合、１つのｉｎｔｅｒｌａｃｅに対応する１０個のＰＲＢ)での複数のｅＰＵＣＣＨが符号分割の方式によって多重化されるため、各ＵＥに対応するｅＰＵＣＣＨの番号を更に指示する必要がある。１つのＰＲＢ内でｅＰＵＣＣＨが時間領域及び周波数領域において多重化される方式は、ＰＵＣＣＨと類似する方式を採用してもよい。即ち、時間領域が直交符号を採用する、及び・又は、周波数領域が巡回シフト系列を採用する。即ち、１つのｅＰＵＣＣＨ領域内は、番号０からＮ‐１のＮ個の直交伝送されるｅＰＵＣＣＨをサポート可能であり、その番号は、当該ｅＰＵＣＣＨの、時間領域で使用される直交符号インデックス、及び・又は、周波数領域で使用される巡回シフトの系列インデックスに対応する。
【０１１１】
具体的には、１グループのユーザ端末ＵＥに対して、指示された拡張物理上り制御チャネル領域内に拡張物理上り制御チャネルを伝送するよう指示する方法は、以下の何種かを含む。
【０１１２】
好ましい方式としては、ＵＥからフィードバックされたＵＣＩがｅＮＢによってＤＣＩを送信してトリガ(例えば、ＵＥがＰＤＳＣＨに対応するＡＣＫ／ＮＡＣＫをフィードバックする際、ＵＥがＰＤＳＣＨを受信することは、ｅＮＢがＤＬ ｇｒａｎｔを送信することによってトリガされるもの)したものである場合に、ＵＥは、ｅＮＢがＤＣＩの(Ｅ)ＰＤＣＣＨを送信した(Ｅ)ＣＣＥ位置に基づいて、指示されたｅＰＵＣＣＨ ｒｅｇｉｏｎにおける対応するｅＰＵＣＣＨ番号を特定し、ｅＮＢのスケジューリングによってＵＥ間の衝突を回避する。ＵＥが指示されたｅＰＵＣＣＨにおいて複数のサブフレームに対応するＵＣＩをフィードバックする必要がある場合に、複数の、ＵＣＩをフィードバックする必要のあるサブフレームに対応するＤＣＩのＣＣＥ位置に基づいて、１つの等価ＣＣＥ位置を共同で算出する。例を挙げると、ＤＣＩの占める１番目のＣＣＥ位置に基づいてｅＰＵＣＣＨ領域における番号を指示するよう規定し、ＵＥが複数のサブフレームに対応するＵＣＩをフィードバックする際、最後の１つのサブフレームのＤＣＩに対応するＣＣＥ位置に応じてｅＰＵＣＣＨ番号を選択する。
【０１１３】
別の好ましい方式としては、基地局ｅＮＢは、ＲＲＣにより複数のＵＥを１グループとして配置し、１つのグループＲＮＴＩ(ブロードキャストの場合に、特別共通ＲＮＴＩである)を割り当て、各ＵＥへ１つのグループごとに唯一の番号を割り当ててから、当該グループＲＮＴＩにて共通物理下り制御チャネルをスクランブルし、当該グループ内における複数のＵＥの、指示されたｅＰＵＣＣＨ ｒｅｇｉｏｎにおける対応するｅＰＵＣＣＨ番号をＤＣＩに明示的に指示し、または、指示されたｅＰＵＣＣＨ領域内に、割り当てられたグループごとに唯一の番号に応じてｅＰＵＣＣＨ番号を選択する。ｅＮＢがＵＥ‐０、ＵＥ‐２、...ＵＥ‐７をグループ‐１へ割り当てるとすれば、各ＵＥに対応するグループ内番号が０、１、...、７となる。
【０１１４】
上記ＤＣＩによって明示的に指示する方式としては、３‐ｂｉｔずつによって１つのグループ内ＵＥを指示可能であり、１つのｅＰＵＣＣＨの開始番号を結合する。例えば、ｅＰＵＣＣＨの開始番号がＮであり、且つＣ‐ＰＤＣＣＨにおけるＤＣＩがＵＥ‐２、ＵＥ‐５、ＵＥ‐６の３つのＵＥを指示する場合に、ＵＥ‐２に対応するｅＰＵＣＣＨ番号は、Ｎであり、ＵＥ‐５に対応するｅＰＵＣＣＨ番号は、Ｎ＋１であり、ＵＥ‐６に対応するｅＰＵＣＣＨ番号は、Ｎ＋２である。このように類推する。
【０１１５】
上記ＲＲＣによって割り当てられたグループ内番号位置に応じてｅＰＵＣＣＨ番号を選択する方式としては、Ｃ‐ＰＤＣＣＨのＤＣＩにｅＰＵＣＣＨの開始番号を指示してもよい。当該グループのあらゆるＵＥが当該開始ｅＰＵＣＣＨの番号にそのグループ内番号を重畳する。例えば、開始番号がＮである場合に、ＵＥ‐ｎに対応するｅＰＵＣＣＨ番号は、Ｎ＋ｎとなる。
【０１１６】
更に好ましい実現形態としては、Ｃ‐ＰＤＣＣＨのＤＣＩに１つまたは複数のＤＬ ｓｕｂｆｒａｍｅを指示することにより、当該ＤＬ ｓｕｂｆｒａｍｅにおいて下り伝送をスケジューリングされたＵＥがそのＤＬ ｇｒａｎｔのＣＣＥ位置に応じて、指示されたｅＰＵＣＣＨ ｒｅｇｉｏｎにおける対応するｅＰＵＣＣＨ番号を選択する。１つのＵＥが複数の指示されたＤＬ ｓｕｂｆｒａｍｅに対して同時にフィードバックを行う必要があるときに、複数のＤＬ ｓｕｂｆｒａｍｅのＤＬ ｇｒａｎｔのＣＣＥ位置に応じて等価ＣＣＥ位置を生成する。例を挙げると、ＤＣＩにおいてＮ‐ｂｉｔによって現サブフレーム前のある下りサブフレームを指示する場合に、当該Ｃ‐ＰＤＣＣＨを検出したＵＥは、指示された下りサブフレームにおいてスケジューリングされたか否かに基づいて、指示されたｅＰＵＣＣＨにおいてフィードバックを行う必要があるか否かを判断する。当該ＵＥが指示された下りサブフレームにおいてスケジューリングされた場合に、ｅＮＢが当該ＤＬ ｇｒａｎｔの(Ｅ)ＰＤＣＣＨを送信したＣＣＥ位置(例えば、１番目のＣＣＥ位置)に応じて、ｅＰＵＣＣＨ領域における番号を選択する。
【０１１７】
本発明の上記実施例では、Ｃ‐ＰＤＣＣＨを介してｅＰＵＣＣＨにおいてフィードバックする必要のあるＵＣＩタイプを指示することが可能である。具体的な指示方式としては、異なるＲＮＴＩによって指示するか、または、ＤＣＩにＵＣＩフィードバックタイプ明示的に指示する。さらに、ユーザ端末は、指示されたＵＣＩタイプに応じてフィードバックを行うことが可能である。
【０１１８】
ＵＣＩタイプは、ＡＣＫ／ＮＡＣＫフィードバック、マルチサブフレームＡＣＫ／ＮＡＣＫフィードバック、マルチキャリアＡＣＫ／ＮＡＣＫフィードバック、マルチサブフレームマルチキャリアＡＣＫ／ＮＡＣＫフィードバック、ＣＳＩフィードバック、マルチキャリアＣＳＩフィードバック、ＳＲＳフィードバックおよびマルチキャリアＳＲＳ等を含む。
【０１１９】
上記ＲＮＴＩにてＵＣＩフィードバックタイプを区分する具体的な実施形態は、異なるＵＣＩフィードバックタイプのＣ‐ＰＤＣＣＨをスクランブルして送信するように、従来の予約されたＲＮＴＩ値範囲のうち、異なる値のＲＮＴＩをそれぞれ割り当てる。
【０１２０】
ＵＣＩフィードバックタイプを上記ＤＣＩに明示的に指示する具体的な実施形態は、ＤＣＩにおけるＸ ｂｉｔにより、フィードバックする必要のある各種のＵＣＩタイプにそれぞれ対応する。例えば、３‐ｂｉｔによって、ＡＣＫ／ＮＡＣＫフィードバック、マルチサブフレームＡＣＫ／ＮＡＣＫフィードバック、マルチキャリアＡＣＫ／ＮＡＣＫフィードバック、マルチサブフレームマルチキャリアＡＣＫ／ＮＡＣＫフィードバック、ＣＳＩフィードバック、マルチキャリアＣＳＩフィードバック、ＳＲＳフィードバック、マルチキャリアＳＲＳフィードバックのうちの何れか一種のＵＣＩタイプを指示する。
【０１２１】
本発明の実施例では、Ｃ‐ＰＤＣＣＨを介してキャリアを跨いでｅＰＵＣＣＨを指示するステップは、上記ステップＳ１からステップＳ３をもとに、基地局ｅＮＢ及びＵＥが何れもマルチキャリア伝送をサポートする場合に、ｅＮＢがキャリアＮにおいてＣ‐ＰＤＣＣＨを送信してキャリアＭでのｅＰＵＣＣＨ情報を指示してもよい。具体的には、ＤＣＩには、３ビット以上のキャリアを指示するためのキャリアインジケータフィールド(ｃａｒｒｉｅｒ ｉｎｄｉｃａｔｉｏｎ ｆｉｅｌｄ、ＣＩＦと略称する)を付加してもよい。
【０１２２】
本発明の実施例では、上記実施例におけるＣ‐ＰＤＣＣＨのＤＣＩは、ｅＰＵＣＣＨを指示するための専用のＤＣＩであってもよく、ｅＰＵＣＣＨの指示に加えて他の指示も含むＤＣＩであってもよい。
【０１２３】
本発明の実施例は、チャネル選択装置を更に提供する。当該選択装置は、主に本発明の実施例の上記内容に供されるチャネル選択方法を実行する。以下では、本発明の実施例に供されるチャネル選択装置を詳細に説明する。
【０１２４】
図４は、本発明の実施例に係るチャネル選択装置の模式図である。図４に示すように、当該チャネル選択装置は、主に第１指示手段４１及び第２指示手段４２を備える。
【０１２５】
第１指示手段４１は、共通物理下り制御チャネルに基づいて拡張物理上り制御チャネル領域の時間領域リソース位置及び周波数領域リソース位置を指示する。
【０１２６】
第２指示手段４２は、１グループのユーザ端末が指示された拡張物理上り制御チャネル領域内に拡張物理上り制御チャネルを伝送するよう指示する。ただし、異なるユーザ端末は、指示された異なる拡張物理上り制御チャネル領域内に拡張物理上り制御チャネルを伝送する。
【０１２７】
本発明の実施例では、共通物理下り制御チャネルを介して拡張物理上り制御チャネルの時間領域リソース位置及び周波数領域リソース位置を指示し、異なるユーザ端末が指示された異なる拡張物理上り制御チャネル領域内に拡張物理上り制御チャネルを伝送するよう指示するため、異なるユーザ端末が異なる拡張物理上り制御チャネル内にデータを伝送する目的を果たし、更に、大量のユーザが拡張物理上り制御チャネルにデータを伝送するときの、上りリンクスケジューリンググラントによる下りシグナリングオーバーヘッドの膨大という従来技術の問題を解決するとともに、複数のユーザ端末を同時に指示するときの相互干渉が回避される技術効果も奏する。
【０１２８】
好ましくは、第１指示手段は、第１特定モジュール、または第２特定モジュール、または第３特定モジュールを備える。第１特定モジュールは、共通物理下り制御チャネルが送信されたサブフレームの後のＮ番目のサブフレームを拡張物理上り制御チャネル領域の所在するサブフレームとする。ただし、共通物理下り制御チャネル領域の所在するサブフレームは、時間領域リソース位置である。第２特定モジュールは、共通物理下り制御チャネルが送信されたサブフレームの後のＮ番目の上りサブフレームを拡張物理上り制御チャネル領域の所在するサブフレームとする。ただし、共通物理下り制御チャネル領域の所在するサブフレームは、時間領域リソース位置である。第３特定モジュールは、共通物理下り制御チャネルで搬送された下り制御情報（ＤＣＩ）を取得し、ＤＣＩに基づいて拡張物理上り制御チャネル領域の時間領域リソース位置を指示する。
【０１２９】
好ましくは、Ｎは、無線リソース制御（ＲＲＣ）によって配置されるか、下り制御情報（ＤＣＩ）によって配置されるか、それとも規格で予め設定される。
【０１３０】
好ましくは、第３特定モジュールは、ユーザ端末が下りサブフレームＮにおいて拡張物理上り制御チャネルを指示するための共通物理下り制御チャネルを検出したときに、ＤＣＩで指示された共通物理下り制御チャネルの所在する現サブフレーム後のＮ個のサブフレームを拡張物理上り制御チャネル領域の所在するサブフレームとする。
【０１３１】
好ましくは、第３特定モジュールは、３ビットにて範囲が１から８である下りサブフレームＮを表す。
【０１３２】
好ましくは、第１指示手段は、配置モジュール、または第１指示モジュール、または第４特定モジュールを備える。配置モジュールは、無線リソース制御（ＲＲＣ）シグナリングに基づいて拡張物理上り制御チャネルへ周波数領域リソース位置を配置する。第１指示モジュールは、共通物理下り制御チャネルで搬送された下り制御情報（ＤＣＩ）に基づいて拡張物理上り制御チャネル領域の周波数領域リソース位置を指示する。第４特定モジュールは、共通物理下り制御チャネルの占用する制御チャネル要素（ＣＣＥ）位置に基づいて、拡張物理上り制御チャネル領域の周波数領域リソース位置を特定する。
【０１３３】
好ましくは、配置モジュールは、１０ビットのビットマップ（ｂｉｔｍａｐ）によって、拡張物理上り制御チャネルに対応するｉｎｔｅｒｌａｃｅを指示し、または、４ビットによって、拡張物理上り制御チャネルが１０個のインターリーブユニット（ｉｎｔｅｒｌａｃｅ）のうちの何れか１つのインターリーブユニット（ｉｎｔｅｒｌａｃｅ）を占用するよう指示する。
【０１３４】
好ましくは、第１指示モジュールは、１０ビットのビットマップ（ｂｉｔｍａｐ）によって、拡張物理上り制御チャネルに対応するインターリーブユニット（ｉｎｔｅｒｌａｃｅ）を指示し、または、４ビットによって、拡張物理上り制御チャネルの占用する１０個のｉｎｔｅｒｌａｃｅのうちの何れか１つのインターリーブユニット（ｉｎｔｅｒｌａｃｅ）を指示する。
【０１３５】
好ましくは、第４特定モジュールは、規定のマッピングテーブルによって、共通物理下り制御チャネルの送信に占用されるＩ番目の制御チャネル要素（ＣＣＥ）の位置番号Ｊと拡張物理上り制御チャネルに対応するインターリーブユニット（ｉｎｔｅｒｌａｃｅ）番号Ｋとのマッピング関係を表す。
【０１３６】
好ましくは、規定のマッピングテーブルによって、共通物理下り制御チャネルの送信に占用されるＩ番目の制御チャネル要素（ＣＣＥ）の位置番号Ｊと拡張物理上り制御チャネルに対応するインターリーブユニット（ｉｎｔｅｒｌａｃｅ）番号Ｋとのマッピング関係を表すステップは、無線リソース制御（ＲＲＣ）によって、共通物理下り制御チャネルの占用する１番目のＣＣＥ位置番号に基づいて、１番目の制御チャネル要素（ＣＣＥ）の位置番号Ｊをインターリーブユニット（ｉｎｔｅｒｌａｃｅ）番号Ｋに対応付けるように配置する。
【０１３７】
好ましくは、第２指示手段は、第５特定モジュール、または第２指示モジュール、または第６特定モジュールを備える。第５特定モジュールは、下り制御情報（ＤＣＩ）の占用する制御チャネル要素（ＣＣＥ）位置に基づいて、指示された拡張物理上り制御チャネル領域における対応する拡張物理上り制御チャネル番号を特定する。第２指示モジュールは、無線リソース制御（ＲＲＣ）に基づいて複数のユーザ端末を１グループのユーザ端末として配置し、グループＲＮＴＩにて共通物理下り制御チャネルをスクランブルし、１グループのユーザ端末のうちの各ユーザ端末の、指示された拡張物理上り制御チャネル領域における対応する拡張物理上り制御チャネル番号を指示する。第６特定モジュールは、複数の下りサブフレームを指示し、複数の下りサブフレームにおいて下り伝送をスケジューリングされたユーザ端末が前記下り制御情報（ＤＣＩ）の占用する制御チャネル要素（ＣＣＥ）位置に基づいて、指示された拡張物理上り制御チャネルにおける対応する拡張物理上り制御チャネル番号を特定する。
【０１３８】
好ましくは、第５特定モジュールは、ユーザ端末が指示された拡張物理上り制御チャネルにおいて複数のサブフレームに対応する上り制御情報ＵＣＩをフィードバックする際、複数のサブフレームで対応して伝送された下りリンクスケジューリンググラント（ＤＬ ｇｒａｎｔ）の占用する制御チャネル要素（ＣＣＥ）位置に基づいて等価ＣＣＥ位置を算出し、等価ＣＣＥ位置に応じて拡張物理上り制御チャネル番号を指示する。
【０１３９】
好ましくは、等価ＣＣＥ位置は、複数のサブフレームのうちの最後の１つのサブフレームに対応する制御チャネル要素（ＣＣＥ）位置である。
【０１４０】
好ましくは、第２指示モジュールは、下り制御情報（ＤＣＩ）によって、１グループのユーザ端末のうちの各ユーザ端末の、指示された拡張物理上り制御チャネル領域における対応する拡張物理上り制御チャネル番号を表し、または、１グループのユーザ端末のうちの各ユーザ端末へ割り当てられたグループごとに唯一の番号に基づいて、指示された拡張物理上り制御チャネル領域内にユーザ端末に対応する拡張物理上り制御チャネル番号を特定する。
【０１４１】
好ましくは、下り制御情報（ＤＣＩ）によって、１グループのユーザ端末のうちの各ユーザ端末の、指示された拡張物理上り制御チャネル領域における対応する拡張物理上り制御チャネル番号を示すステップは、拡張物理上り制御チャネルの開始番号を結合し、Ｘビットごとに、１グループのユーザ端末のうちの１つのユーザ端末に対応する拡張物理上り制御チャネル番号を指示することを含む。
【０１４２】
好ましくは、Ｘビットごとに、１グループのユーザ端末のうちの１つのユーザ端末に対応する拡張物理上り制御チャネル番号を指示するステップは、拡張物理上り制御チャネルの開始番号がＮであるときに、共通物理下り制御チャネルにおける下り制御情報（ＤＣＩ）によってユーザ端末ＵＥ‐２、ユーザ端末ＵＥ‐５及びユーザ端末ＵＥ‐６の拡張物理上り制御チャネル番号を指示することを含む。ただし、前記ユーザ端末ＵＥ‐２、前記ユーザ端末ＵＥ‐５及び前記ユーザ端末ＵＥ‐６の前記拡張物理上り制御チャネル番号は、それぞれＮ、Ｎ＋１及びＮ＋２である。
【０１４３】
好ましくは、１グループのユーザ端末のうちの各ユーザ端末へ割り当てられたグループごとに唯一の番号に基づいて、指示された拡張物理上り制御チャネル領域内にユーザ端末に対応する拡張物理上り制御チャネル番号を特定するステップは、グループごとに唯一の番号を拡張物理上り制御チャネルの開始番号に重畳して、ユーザ端末に対応する拡張物理上り制御チャネル番号を取得することを含む。ただし、開始番号は、共通物理下り制御チャネルの下り制御情報（ＤＣＩ）で指示された番号である。
【０１４４】
好ましくは、グループごとに唯一の番号を拡張物理上り制御チャネルの開始番号に重畳してユーザ端末に対応する拡張物理上り制御チャネル番号を取得するステップは、拡張物理上り制御チャネルの開始番号がＮである場合に、１グループのユーザ端末のうちのユーザ端末ＵＥ‐ｎに対応する拡張物理上り制御チャネル番号がＮ＋ｎとなる。
【０１４５】
好ましくは、第６特定モジュールは、ユーザ端末が複数の下りサブフレームへフィードバックする際、複数の下りサブフレームの下りリンクスケジューリンググラント（ＤＬ ｇｒａｎｔ）の制御チャネル要素（ＣＣＥ）位置に基づいて等価ＣＣＥ位置を特定し、等価ＣＣＥ位置に基づいて拡張物理上り制御チャネル番号を特定する。
【０１４６】
好ましくは、ユーザ端末が複数の下りサブフレームへフィードバックする前に、装置は、更に、下り制御情報によってＮ‐ｂｉｔにて現サブフレームの何れか１つの下りサブフレームを指示し、指示された何れか１つの下りサブフレームにおいてユーザ端末がスケジューリングされたか否かを判断する。ユーザ端末が複数の下りサブフレームへフィードバックするステップは、指示された何れか１つの下りサブフレームにおいてユーザ端末がスケジューリングされたと判断した場合に、ユーザ端末が複数の下りサブフレームへフィードバックすることを含む。
【０１４７】
好ましくは、等価ＣＣＥ位置は、１番目の制御チャネル要素（ＣＣＥ）位置である。
【０１４８】
好ましくは、装置は、共通物理下り制御チャネルを介してキャリアを跨いで拡張物理上り制御チャネルを指示するための第３指示手段を更に備える。
【０１４９】
好ましくは、第３指示手段は、下り制御情報（ＤＣＩ）に３ビットまたは３ビットより多くのキャリアインジケータフィールド（ＣＩＦ）を付加することで、共通物理下り制御チャネルを介してキャリアを跨いで拡張物理上り制御チャネルを指示する。
【０１５０】
好ましくは、下り制御情報（ＤＣＩ）は、拡張物理上り制御チャネルを指示するための下り制御情報（ＤＣＩ）と、拡張物理上り制御チャネルであるか非拡張物理上り制御チャネルであるかを指示するための下り制御情報（ＤＣＩ）との何れか１つであってもよい。
【０１５１】
本実施例は、非一時的コンピュータ読み取り可能な記憶媒体を更に提供する。前記非一時的コンピュータ読み取り可能な記憶媒体には、コンピュータ命令が記憶されている。前記コンピュータ命令により、前記コンピュータは、上記何れか一項の方法実施例に供される方法を実行する。
【０１５２】
本実施例は、コンピュータプログラム製品を更に提供する。前記コンピュータプログラム製品は、非一時的コンピュータ読み取り可能な記憶媒体に格納されたコンピュータプログラムを含む。前記コンピュータプログラムは、プログラム命令を含む。前記プログラム命令がコンピュータに実行されたとき、コンピュータは、上記何れか一項の方法実施例に供される方法を実行可能である。
【０１５３】
図５は、本実施例に係るチャネル選択方法を実行する電子機器のハードウェア構成を示す模式図である。図５に示すように、当該電子機器は、１つ又は複数のプロセッサ５１およびメモリ５２を備える。図５では、１つのプロセッサ５１を例とする。
【０１５４】
当該電子機器は、入力装置５３及び出力装置５４を更に備えてもよい。
【０１５５】
プロセッサ５１、メモリ５２、入力装置５３及び出力装置５４は、バスまたは他の方式により接続可能である。図５では、バス接続を例とする。
【０１５６】
メモリ５２は、非一時的コンピュータ読み取り可能な記憶媒体として、非一時的ソフトウェアプログラム、非一時的コンピュータの実行可能なプログラムおよびモジュールを記憶することが可能である。例えば、本発明の実施例におけるチャネル選択方法に対応するプログラム命令／モジュール（例えば、図４に示す第１指示手段４１と第２指示手段４２）が挙げられる。プロセッサ５１は、メモリ５２に記憶された非一時的ソフトウェアプログラム、命令およびモジュールを動作させることで、サーバの各種の機能応用およびデータ処理を実行する。つまり、上記方法実施例のチャネル選択方法を実施する。
【０１５７】
メモリ５２は、記憶プログラムエリア及び記憶データエリアを含んでもよい。記憶プログラムエリアは、オペレーティングシステム、少なくとも１つの機能に必要な応用プログラムを記憶可能である。記憶データエリアは、チャネル選択装置の使用状況に応じて作成されたデータ等を記憶可能である。また、メモリ５２は、高速ランダムアクセスメモリを含んでもよく、非一時的メモリ、例えば、少なくとも１つの磁気ディスク記憶デバイス、フラッシュメモリ、または他の非一時的ソリッド記憶デバイスを含んでもよい。幾つかの実施例では、メモリ５２は、プロセッサ５１に対して遠隔配置されるメモリを含んでもよい。これらの遠隔メモリは、ネットワークを介してチャネル選択装置に接続可能である。上記ネットワークの例は、インターネット、イントラネット、ローカルエリアネットワーク、移動体通信ネットワークおよびそれらの組合わせを含むが、それらに限定されない。
【０１５８】
入力装置５３は、入力された数字またはキャラクタ情報を受信し、チャネル選択装置のユーザ設定および機能制御に関するキー信号入力を発生することができる。出力装置５４は、ディスプレイスクリーン等の表示機器を含んでもよい。
【０１５９】
前記１つまたは複数のモジュールは、前記メモリ５２に記憶されており、前記１つまたは複数のプロセッサ５１によって実行されたとき、上記任意の方法実施例におけるチャネル選択方法を実行する。
【０１６０】
上記製品は、本発明の実施例で供される方法を実行可能であり、方法を実行するための機能モジュール及び有利な効果を有する。本実施例で詳細に記述されていない技術的詳細は、本発明の実施例に供される方法を参照すればよい。
【０１６１】
本発明の実施例の電子機器は、複数種の形態で存在し、以下の形態を含むが、それらに限定されない。
【０１６２】
(１) 移動通信機器であって、この種の機器の特徴は、移動通信機能を有し、音声、データ通信の提供を主なる目標とすることにある。この種の端末は、スマートフォン(例えば、ｉＰｈｏｎｅ)、マルチメディア携帯電話、機能的携帯電話、およびインスタント携帯電話等を含む。
【０１６３】
(２)スーパーモバイル個人コンピュータ機器であって、この種の機器は、個人コンピュータの分野に属し、演算及び処理機能を有し、一般的にモバイルインターネット特性も有する。この種の端末は、ＰＤＡ、ＭＩＤ及びＵＭＰＣ機器等、例えばｉＰａｄを含む。
【０１６４】
(３)携帯型娯楽機器であって、この種の機器は、マルチメディアコンテンツを表示や再生可能である。この種の機器は、オーディオ、ビデオプレーヤー(例えば、ｉＰｏｄ)、ハンド・ゲーム機、電子ブック、スマートオモチャ及び携帯型ナビゲーション機器を含む。
【０１６５】
(４)サーバであって、これは計算サービスを提供する機器である。サーバの構成は、プロセッサ、ハードディスク、メモリ、システムバス等を含む。サーバ及び汎用のコンピュータアーキテクチャが類似するが、高い信頼性のサービスを提供する必要があるため、処理能力、安定性、信頼性、安全性、拡張可能性、管理可能性等の要求が高い。
【０１６６】
(５)他のデータインタラクティブ 機能を有する電子装置。
【０１６７】
上記本発明の実施例の番号が記述用のみであり、実施例の良さを表さない。
【０１６８】
本発明の上記実施例では、各実施例の記述に各自の重点があり、実施例に詳細に記述されていない部分が他の実施例の関連記述を参照すればよい。
【０１６９】
本発明に供される幾つかの実施例において、開示された技術内容が他の方式にて実現可能であることは、理解されるべきである。ただし、上述した装置実施例が単に模式的である。例えば、手段の区分は、論理機能区分であってもよく、実際に実施する際に他の区分方式であってもよい。例えば、複数の手段またはユニットは、組合わせられ、または別のシステムに集積されてもよい。あるいは、幾つかの特徴が無視や実行されなくてもよい。なお、表示や議論される同士間の結合または直接結合または通信接続は、幾つかのインターフェース、手段またはモジュールを経由した間接結合や通信接続であってもよく、電気または他の形態であってもよい。
【０１７０】
独立な部品として説明される手段は、物理上に分散されたものや分散されていないものであってもよい。手段として表示される部品は、物理手段であってもでなくてもよい。即ち、それらは、１箇所に位置してもよいし、複数の手段に分散されてもよい。実際のニーズに応じてその中の一部または全部の手段を選択して本実施例の目的を達成可能である。
【０１７１】
また、本発明の各実施例における各機能手段は、１つの処理手段に集積されてもよいし、各手段が単独で物理存在してもよく、２つまたは２つ以上の手段が１つの手段に集積されてもよい。上記集積の手段は、ハードウェアの形態にて実現可能であるし、ソフトウェア機能手段の形態にて実現可能である。
【０１７２】
集積の手段は、ソフトウェア機能手段の形態にて実現され、且つ独立の製品として販売や使用される場合に、コンピュータ読み取り可能な記憶媒体に格納可能である。このような理解を踏まえて、本発明の解決手段の本質または従来技術に対して貢献する部分または当該解決手段の全部若しくは一部がソフトウェア製品の形態にて実現可能である。当該コンピュータソフトウェア製品が記憶媒体に記憶され、幾つかの命令を含むことにより、コンピュータ機器(パソコン、サーバまたはネットワーク機器等)に本発明の各実施例の方法の全部または一部のステップを実行させる。上記記憶媒体は、フラッシュメモリ、読み取り専用メモリ(ＲＯＭ、Ｒｅａｄ‐Ｏｎｌｙ Ｍｅｍｏｒｙ)、ランダムアクセスメモリ(ＲＡＭ、Ｒａｎｄｏｍ Ａｃｃｅｓｓ Ｍｅｍｏｒｙ)、モバイルハードディスク、磁気ディスまたは光ディスク等の各種のプログラムコードを格納可能な媒体を含む。
【０１７３】
上述したのが本発明の好適な実施形態に過ぎず、当業者であれば、本発明の要旨を逸脱しない限り、若干の改良や修飾が可能である。これらの改良及び修飾も本発明の保護範囲に含まれる。
【図１】
0006552732.tif 000002
【図２】
0006552732.tif 000003
【図３】
0006552732.tif 000004
【図４】
0006552732.tif 000005
【図５】
0006552732.tif 000006